(57)【要約】  本開示は、第１のＭＢＳＦＮ（Multicast-Broadcast  Single  Frequency  Network）（２１０）に関連付けられる１つ以上の無線基地局（ＲＢＳ）（２２０）を含むワイヤレス通信システム（２００）に関し、前記第１のＭＢＳＦＮに関連付けられる前記１つ以上のＲＢＳは、第１の通信リソース（ｆ１）を用いてトランスポートブロックをブロードキャストする、ように構成され、当該トランスポートブロックは、前記ワイヤレス通信システム（２００）内の１つ以上のワイヤレスデバイス（２３１，２３２，２３３）へサービス（Ａ）をトランスポートし、前記ワイヤレス通信システム（２００）は、前記第１のＭＢＳＦＮ（２１０）に関連付けられない少なくとも１つのさらなるＲＢＳ（２５０）をも含み、前記少なくとも１つのさらなるＲＢＳ（２５０）は、前記第１のＭＢＳＦＮにおいてサービス（Ａ）をブロードキャストするために使用される前記第１の通信リソース（ｆ１）に関する情報をブロードキャストする、ように構成される。【選択図】図２
2018517378.tif 000002
【特許請求の範囲】
【請求項１】
無線基地局（ＲＢＳ）（２５０）であって、
前記ＲＢＳ（２５０）を含まない第１のＭＢＳＦＮ（Multicast-Broadcast  Single  Frequency  Network）（２１０）においてサービス（Ａ）をブロードキャストするために使用される第１の通信リソース（ｆ１）に関する情報をブロードキャストする、
ように構成されるＲＢＳ（２５０）。
【請求項２】
前記第１の通信リソース（ｆ１）を用いて前記サービス（Ａ）をトランスポートするトランスポートブロックをブロードキャストしない、ようにさらに構成される、請求項１に記載のＲＢＳ（２５０）。
【請求項３】
前記第１のＭＢＳＦＮ（２１０）のカバレッジエリアとは異なるカバレッジエリア（２５１）上で前記第１の通信リソース（ｆ１）に関する情報をブロードキャストする、ように構成される、請求項１〜２のいずれかに記載のＲＢＳ（２５０）。
【請求項４】
通信リソースは、周波数帯域、時間スロット、ＬＴＥサブフレーム、又は周波数帯域と時間スロットとの組み合わせ、のうちのいずれかを含む、請求項１〜３のいずれかに記載のＲＢＳ（２５０）。
【請求項５】
前記第１の通信リソース（ｆ１）に関する前記情報は、前記第１のＭＢＳＦＮ（２１０）において前記サービス（Ａ）を含むブロードキャストを受信する目的で前記第１の通信リソース（ｆ１）を識別するための情報を含む、請求項１〜４のいずれかに記載のＲＢＳ（２５０）。
【請求項６】
前記第１の通信リソース（ｆ１）に関する前記情報は、サービスアナウンスメントを含み、前記サービスアナウンスメントは、前記第１のＭＢＳＦＮ（２１０）においてブロードキャストされるＭＢＭＳ（Multicast-Broadcast  Multimedia  Service）コンテンツに関する情報を含む、請求項１〜５のいずれかに記載のＲＢＳ（２５０）。
【請求項７】
前記ＲＢＳは、ＬＴＥ（Long  Term  Evolution）セルラー通信ネットワークに含まれるｅＮｏｄｅＢである、請求項１〜６のいずれかに記載のＲＢＳ（２５０）。
【請求項８】
前記第１の通信リソース（ｆ１）に関する前記情報は、前記第１のＭＢＳＦＮ（２１０）においてブロードキャストされる前記サービス（Ａ）に対応するＴＭＧＩ（Temporary  Mobile  Group  Identification）を含む、請求項７に記載のＲＢＳ（２５０）。
【請求項９】
前記第１の通信リソース（ｆ１）に関する前記情報は、修正されたＳＩＢ（System  Information  Block）２を含み、前記修正されたＳＩＢ２は、前記第１のＭＢＳＦＮ（２１０）においてＭＢＭＳ（Multicast-Broadcast  Multimedia  Service）のために予約されている１つ以上のＬＴＥ（Long  Term  Evolution）サブフレームに関する情報及び／又は当該サブフレームを識別する情報を含む、請求項７〜８のいずれかに記載のＲＢＳ（２５０）。
【請求項１０】
前記第１の通信リソース（ｆ１）に関する前記情報は、修正されたＳＩＢ１３を含み、前記修正されたＳＩＢ１３は、前記第１のＭＢＳＦＮのＬＴＥ無線フレーム構造におけるＭＣＣＭ（MBMS  Control  Channel）の位置に関する情報及び／又は当該位置を識別する情報を含む、請求項７〜９のいずれかに記載のＲＢＳ（２５０）。
【請求項１１】
請求項１〜１０のいずれかに記載の少なくとも１つのＲＢＳ（２５０）、及び１つ以上のさらなるＲＢＳ（２２０）をも含むワイヤレス通信システム（２００）であって、前記第１のＭＢＳＦＮ（２１０）が前記１つ以上のさらなるＲＢＳ（２２０）を含み、前記１つ以上のさらなるＲＢＳは、前記第１の通信リソース（ｆ１）を用いてトランスポートブロックをブロードキャストする、ように構成され、当該トランスポートブロックは、前記ワイヤレス通信システム（２００）内の１つ以上のワイヤレスデバイス（２３１，２３２，２３３）へ前記サービス（Ａ）をトランスポートする、ワイヤレス通信システム（２００）。
【請求項１２】
前記第１のＭＢＳＦＮ（３１０）とは少なくとも部分的に別個の第２のＭＢＳＦＮ（３４０）をさらに含み、前記少なくとも１つのＲＢＳ（３５０）は、前記第２のＭＢＳＦＮ（３４０）に関連付けられ、第２の通信リソース（ｆ２）を用いてトランスポートブロックをブロードキャストする、ように構成され、前記第２の通信リソース（ｆ２）を用いる前記トランスポートブロックは、前記ワイヤレス通信システム（３００）内の１つ以上のワイヤレスデバイス（２３０，２３１）へ前記サービス（Ａ）をトランスポートする、請求項１１に記載のワイヤレス通信システム（３００）。
【請求項１３】
前記第１のＭＢＳＦＮ（３１０）に含まれる前記１つ以上のさらなるＲＢＳ（３２０）のうちの少なくともいくつかは、前記第２のＭＢＳＦＮ（３４０）において前記サービス（Ａ）をブロードキャストするために使用される前記第２の通信リソース（ｆ２）に関する情報をブロードキャストする、ように構成される、請求項１１又は請求項１２に記載のワイヤレス通信システム（３００）。
【請求項１４】
前記第１の通信リソース及び前記第２の通信リソースを用いてブロードキャストされ及び前記サービス（Ａ）をトランスポートする前記トランスポートブロックは、合成前のトランスポートブロック品質と比較して改善されたトランスポートブロック品質を有する合成トランスポートブロックへ、ワイヤレスデバイス（２３１）による受信後に合成可能である、請求項１１〜１３のいずれかに記載のワイヤレス通信システム（３００）。
【請求項１５】
前記ワイヤレス通信システム（２００，３００）においてブロードキャストされるどのトランスポートブロックが、同じ前記サービス（Ａ）をトランスポートし及び合成前のトランスポートブロック品質と比較して改善されたトランスポートブロック品質を有する合成トランスポートブロックへワイヤレスデバイス（２３１）による受信後に合成可能であるか、に関する情報を前記ワイヤレス通信システム内のワイヤレスデバイス（２３０，２３１，２３２，２３３）へ提供する、ように構成される少なくとも１つのサーバデバイス（２９０，３９０）、をさらに含む、請求項１１〜１４のいずれかに記載のワイヤレス通信システム（２００，３００）。
【請求項１６】
前記サーバデバイス（２９０，３９０）は、３ＧＰＰ  ＴＳ２２．４６８  Ｖ１３．０．０（２０１４年１２月）に従ったグループ通信サービスアプリケーションサーバ（ＧＣＳ  ＡＳ）を含む、請求項１５に記載のワイヤレス通信システム（２００，３００）。
【請求項１７】
ＭＢＳＦＮ（Multicast-Broadcast  Single  Frequency  Network）通信のために構成されるワイヤレスデバイス（２３１）であって、第１のＭＢＳＦＮ内に含まれないＲＢＳ（２５０）から、前記第１のＭＢＳＦＮにおいてサービス（Ａ）をブロードキャストするために使用される第１の通信リソース（ｆ１）に関する情報を受信する、ように構成されるワイヤレスデバイス。
【請求項１８】
前記ワイヤレスデバイスは、第１及び第２の通信リソース（ｆ１，ｆ２）をそれぞれ用いて第１及び第２のトランスポートブロックを受信する、ようにさらに構成され、前記第１及び第２の通信リソースは、サービス（Ａ）をトランスポートし、前記ワイヤレスデバイス（２３１）は、受信された前記第１及び第２のトランスポートブロックを、合成前のトランスポートブロック品質と比較して改善されたトランスポートブロック品質を有する合成トランスポートブロックへ合成する、ように構成される、請求項１７に記載のワイヤレスデバイス（２３１）。
【請求項１９】
前記改善されたトランスポートブロック品質は、改善された信号対雑音比、改善された信号対干渉及び雑音比、改善されたトランスポートブロックエラー修復性、及び改善されたトランスポートブロックエラー確率、のうちのいずれか１つである、請求項１７又は請求項１８に記載のワイヤレスデバイス（２３１）。
【請求項２０】
ワイヤレス通信システムのサーバデバイス（２９０，３９０）からの受信後に合成可能なブロードキャストされるトランスポートブロックに関する情報を受信する、ようにさらに構成される、請求項１７〜１９のいずれか１項に記載のワイヤレスデバイス（２３１）。
【請求項２１】
少なくとも第１のＭＢＳＦＮ（３１０）及び第２のＭＢＳＦＮ（３４０）に関する２つ以上のＭＢＳＦＮ構成を同時に記憶する、ように構成される、請求項１７〜２０のいずれか１項に記載のワイヤレスデバイス（２３１）。
【請求項２２】
第１の通信リソース（ｆ１）及び第２の通信リソース（ｆ２）を用いてブロードキャストされるどのトランスポートブロックが、合成前のトランスポートブロック品質と比較して改善されたトランスポートブロック品質を有する合成トランスポートブロックへワイヤレスデバイス（２３１）による受信後に合成可能であるか、に関する情報をワイヤレス通信システム（２００，３００）内のワイヤレスデバイス（２３０，２３１，２３２，２３３）へ提供する、ように構成される、ワイヤレス通信システムのサーバデバイス（２９０，３９０）。
【請求項２３】
３ＧＰＰ  ＴＳ２２．４６８  Ｖ１３．０．０（２０１４年１２月）に従ったグループ通信サービスアプリケーションサーバ（ＧＣＳ  ＡＳ）をさらに含む、請求項２２に記載のサーバデバイス（２９０，３９０）。
【請求項２４】
前記サーバデバイスは、前記ワイヤレス通信システム（２００，３００）のＲＢＳ内に含まれる、請求項２２又は請求項２３に記載のサーバデバイス（２９０，３９０）。
【請求項２５】
無線基地局（ＲＢＳ）（２５０）において実行される方法であって、前記ＲＢＳは、第１のＭＢＳＦＮ（Multicast-Broadcast  Single  Frequency  Network）（２１０）とは別個であって前記第１のＭＢＳＦＮに含まれず、前記方法は、
前記第１のＭＢＳＦＮにおいてサービス（Ａ）をブロードキャストするために使用される第１の通信リソース（ｆ１）に関する情報を前記ＲＢＳによりブロードキャストすること（ＳＡ１）、
を含む方法。
【請求項２６】
前記ブロードキャストすることは、前記第１のＭＢＳＦＮ（２１０）のカバレッジエリアとは異なるカバレッジエリア（２５１）上で前記第１の通信リソース（ｆ１）に関する情報をブロードキャストすること（ＳＡ１１）、をさらに含む、請求項２５に記載の方法。
【請求項２７】
無線基地局（ＲＢＳ）において実行された場合に、前記ＲＢＳに請求項２５又は請求項２６に記載の方法を実行させるコンピュータプログラムコード、を含むコンピュータプログラム。
【請求項２８】
第１のＭＢＳＦＮ（Multicast-Broadcast  Single  Frequency  Network）（２１０）を含むワイヤレス通信システム（２００）において実行される方法であって、前記第１のＭＢＳＦＮは、１つ以上のさらなる無線基地局（ＲＢＳ）（２２０）を含み、前記ワイヤレス通信システム（２００）は、前記第１のＭＢＳＦＮ（２１０）に含まれない少なくとも１つのＲＢＳ（２５０）をも含み、前記方法は、
前記第１のＭＢＳＦＮに含まれる前記１つ以上のさらなるＲＢＳにより、第１の通信リソース（ｆ１）を用いてトランスポートブロックをブロードキャストすること（ＳＢ１）と、前記トランスポートブロックは、サービス（Ａ）をトランスポートすることと、
前記第１のＭＢＳＦＮ（２１０）に含まれない前記少なくとも１つのＲＢＳ（２５０）により、前記第１のＭＢＳＦＮにおいて前記サービス（Ａ）をブロードキャストするために使用される前記第１の通信リソース（ｆ１）に関する情報をブロードキャストすること（ＳＢ３）と、
を含む方法。
【請求項２９】
前記少なくとも１つのＲＢＳ（３５０）は、前記第１のＭＢＳＦＮ（３１０）とは別個の第２のＭＢＳＦＮ（３４０）に関連付けられ、前記方法は、
前記第１のＭＢＳＦＮに含まれない前記少なくとも１つのＲＢＳ（３５０）により、第２の通信リソース（ｆ２）を用いてトランスポートブロックをブロードキャストすること（ＳＢ５）と、前記トランスポートブロックは、前記サービス（Ａ）をトランスポートすることと、
ワイヤレスデバイス（２３１）により、第１及び第２の通信リソースを用いてトランスポートされる、トランスポートされる前記サービス（Ａ）を受信すること（ＳＢ７）と共に、
前記ワイヤレスデバイスにより、合成前のトランスポートブロック品質と比較して改善されたトランスポートブロック品質を有する合成トランスポートブロックへ、受信される第１及び第２のトランスポートブロックを合成すること（ＳＢ９）、
をさらに含む、請求項２８に記載の方法。
【請求項３０】
ワイヤレス通信システムにおいて実行された場合に、前記ワイヤレス通信システムに請求項２８又は請求項２９に記載の方法を実行させるコンピュータプログラムコード、を含むコンピュータプログラム。
【請求項３１】
ＭＢＳＦＮ（Multicast-Broadcast  Single  Frequency  Network）通信のために構成されるワイヤレスデバイス（２３１）における方法であって、
前記ワイヤレスデバイスにより、第１のＭＢＳＦＮ（３１０）及び第２のＭＢＳＦＮ（３４０）からそれぞれ第１及び第２の通信リソース（ｆ１，ｆ２）を用いて第１及び第２のトランスポートブロックを受信すること（ＳＣ１）と、前記トランスポートブロックは、サービス（Ａ）をトランスポートすることと、
前記ワイヤレスデバイスにより、受信された少なくとも前記第１及び第２のトランスポートブロックを、合成前のトランスポートブロック品質と比較して改善されたトランスポートブロック品質を有する合成トランスポートブロックへ合成すること（ＳＣ３）と、
を含む方法。
【請求項３２】
前記ワイヤレスデバイス（２３１）により、少なくとも前記第１のＭＢＳＦＮ（３１０）及び前記第２のＭＢＳＦＮ（３４０）に関する２つ以上のＭＢＳＦＮ構成を記憶すること（ＳＣ０）、
をさらに含む、請求項３１に記載の方法。
【請求項３３】
ワイヤレスデバイスにおいて実行された場合に、前記ワイヤレスデバイスに請求項３１〜３２のいずれかに記載の方法を実行させるコンピュータプログラムコード、を含むコンピュータプログラム。
【発明の詳細な説明】
【技術分野】
【０００１】
本開示は、少なくとも第１のＭＢＳＦＮ（Multicast-Broadcast  Single  Frequency  Network）と、当該第１のＭＢＳＦＮに含まれない別個の無線基地局（ＲＢＳ）とを含むワイヤレス通信システムに関する。
【背景技術】
【０００２】
グループ通信では、同一の情報又はサービスが複数のユーザへ伝達される。同じエリア内に多数のユーザが位置する場合、例えばＭＢＭＳ（Multicast-Broadcast  Multimedia  Service）を用いる、マルチキャスト又はブロードキャストベースの送信が効率的である。ＭＢＭＳでは、１つ以上の共有通信リソースを用いて、１つ以上のサービスが目的のユーザへブロードキャストされる。
【０００３】
あるエリアに位置するワイヤレスデバイスがＭＢＭＳなどのグループ通信へ移行することを希望する場合、ワイヤレスデバイスは、まず、所望のサービスがそのエリア内でブロードキャスト中であるかを判定しなければならない。サービスが利用可能であるとすると、次いで、グループ通信への参加を開始可能となる前に、当該サービスをブロードキャストするためにどの通信リソースが使用されるか、例えば当該サービスを伝達するためにどの周波数帯域及び時間スロットが使用されているかを判定しなければならない。これら初期化ステップには時間が掛かり、これはグループ通信への参加をワイヤレスデバイスが開始することに関連付けられる遅延が存在することを意味する。当然ながら、グループ通信へワイヤレスデバイスが移行することに関連付けられる遅延を最小化することが望ましい。
【０００４】
グループ通信への参加を希望しているワイヤレスデバイスがＭＢＳＦＮ（Multicast-Broadcast  Single  Frequency  Network）エリアよりも広いエリアにわたって散らばっている場合、そのサービス又はサービス群は、複数のＭＢＳＦＮにわたって伝達されなければならない。その場合、複数のＭＢＳＦＮエリアの間のサービス連続性（service  continuity）を提供することが特に望ましく、これは、ワイヤレスデバイスがあるＭＢＳＦＮから他のＭＢＳＦＮへ移動する際に進行中のグループ呼を再確立する必要性無くグループ通信を続けることができることを意味する。
【０００５】
３ＧＰＰ  ＴＳ２３．４６８  ｖ．１３．０．０（２０１５年３月）において開示されたサービス連続性の方法は、グループ通信をマルチキャストからユニキャストへ移管（transfer）するという方法論に依拠しており、ユニキャストにおいては各目的ユーザ向けにブロードキャストされる１つの情報ストリームが存在する。グループ通信に参加し、第１のＭＢＳＦＮエリアから第２のＭＢＳＦＮエリアへ移動するユーザ又はワイヤレスデバイスは、３ＧＰＰ  ＴＳ２３．４６８  ｖ．１３．０．０（２０１５年３月）において開示された上記方法によれば、まず、自身の通信をネットワークにより第１のＭＢＳＦＮエリアでのマルチキャストからユニキャストへ移管させ、次いで第２のＭＢＳＦＮエリアでのマルチキャストへ戻す必要がある。これは、サービス連続性を提供するためには非効率的な手法であり、例えばユニキャストネットワークが輻輳している場合には失敗するかもしれない。さらに、ユーザ又はワイヤレスデバイスをユニキャストへ移管することは、ワイヤレスデバイスがネットワークへ接続し及び／又は登録を行うことを要し、これは可能ではないかもしれず、又は少なくとも望ましくないであろう。
【０００６】
従って、グループ通信へワイヤレスデバイスが移行することに関連付けられる遅延を低減するワイヤレス通信システムであって、通信をマルチキャストからユニキャストへ移管する必要性無しで、進行中のグループ呼の期間中に１つのＭＢＳＦＮから他のＭＢＳＦＮへユーザが移動する場合の状況を扱うことのできるワイヤレス通信システムを提供することが望ましい。
【発明の概要】
【発明が解決しようとする課題】
【０００７】
本開示の目的は、第１のＭＢＳＦＮによるグループ通信へワイヤレスデバイスが移行することに関連付けられる遅延を低減する、少なくとも無線基地局（ＲＢＳ）、ワイヤレスデバイス、ワイヤレス通信システム、サーバデバイス及び方法を提供することである。
【０００８】
本開示のさらなる目的は、進行中のグループ呼の期間中に１つのＭＢＳＦＮから他のＭＢＳＦＮへユーザが移動する場合の状況を扱うことのできるワイヤレス通信システム及び方法を提供すること、即ち、通信をマルチキャストからユニキャストへ移管することに依拠する必要性の無いサービス連続性を提供することである。
【課題を解決するための手段】
【０００９】
上で言及した目的のうちの少なくともいくつかは、ＲＢＳを、当該ＲＢＳを含まない第１のＭＢＳＦＮにおいてサービスをブロードキャストするために使用される第１の通信リソースに関する情報をブロードキャストするように構成することにより達せられる。
【００１０】
これにより、ＲＢＳのカバレッジエリア内に位置していて、第１のＭＢＳＦＮのカバレッジエリアへ向けて移動し及び第１のＭＢＳＦＮによるグループ通信への参加を希望するワイヤレスデバイスは、第１のＭＢＳＦＮのカバレッジエリアへ実際に入る前に、上記ＲＢＳから、第１のＭＢＳＦＮのエリア内でのブロードキャストに関する情報を受信することになる。ワイヤレスデバイスは、従って、第１のＭＢＳＦＮにおいてそのサービスをブロードキャストするために使用される第１の通信リソースに関する情報が上記ＲＢＳからブロードキャストされない場合と比較して、より早い時点でグループ通信のための準備を行うことができる。
【００１１】
よって、ワイヤレスデバイスは、ブロードキャストされるトランスポートブロックを十分な信号品質で受信可能になるとすぐにグループ通信の聴取を開始できることから、第１のＭＢＳＦＮにおけるグループ通信への移行に関連付けられる遅延が低減される。さらに、ワイヤレスデバイスは、第１のＭＢＳＦＮに含まれない上記ＲＢＳによりブロードキャストされる情報を受信できるとすれば、第１のＭＢＳＦＮによるサービスを受信する目的でネットワークへ接続しなくてもよい。
【００１２】
複数の観点によれば、上記第１の通信リソースに関する上記情報は、上記第１のＭＢＳＦＮにおいて上記サービスを含むブロードキャストを受信する目的で上記第１の通信リソースを識別するための情報を含む。
【００１３】
これにより、上で言及したように、上記ワイヤレスデバイスは、上記第１のＭＢＳＦＮの到達範囲内へ達する前に、上記第１のＭＢＳＦＮにおいてブロードキャストされる上記サービスをいかにして受信すべきかを知得することになる。
【００１４】
上で言及したいくつかの目的は、少なくとも１つのＲＢＳ及び１つ以上のさらなるＲＢＳをも含むワイヤレス通信システムによっても達成される。上記第１のＭＢＳＦＮが上記１つ以上のさらなるＲＢＳを含む。上記１つ以上のさらなるＲＢＳは、上記第１の通信リソースを用いてトランスポートブロックをブロードキャストする、ように構成され、当該トランスポートブロックは、上記ワイヤレス通信システム内の１つ以上のワイヤレスデバイスへ上記サービスをトランスポートする。
【００１５】
いくつかの観点によれば、上記ワイヤレス通信システムは、上記第１のＭＢＳＦＮとは少なくとも部分的に別個の第２のＭＢＳＦＮをさらに含む。上記少なくとも１つのＲＢＳは、この場合、上記第２のＭＢＳＦＮに関連付けられ、第２の通信リソースを用いてトランスポートブロックをブロードキャストする、ように構成される。上記第２の通信リソースを用いる上記トランスポートブロックは、上記ワイヤレス通信システム内の１つ以上のワイヤレスデバイスへ上記サービスをトランスポートする。
【００１６】
提案されるワイヤレス通信システムの手段によって、複数の利点が獲得される。主に、輻輳しているネットワークにおいてさえより高い成功確率を有する、より複雑度の低いサービス連続性プロセスが提供される。また、提案される技法により、ワイヤレスデバイスは、異なる複数のＭＢＳＦＮの間で、それらＭＢＳＦＮを含むセルラーネットワークへ接続することなく移動し得る。
【００１７】
いくつかの他の観点によれば、上記第１のＭＢＳＦＮに含まれる１つ以上のさらなるＲＢＳのうちの少なくともいくつかは、上記第２のＭＢＳＦＮにおいて上記サービスをブロードキャストするために使用される上記第２の通信リソースに関する情報をブロードキャストする、ように構成される。
【００１８】
これにより、グループ通信に参加するワイヤレスデバイスは、ワイヤレスデバイスのマルチキャストからユニキャストへの移管に関わらないという、サービス連続性のさらなる改善を経験する。
【００１９】
いくつかの追加的な観点によれば、上記第１の通信リソース及び上記第２の通信リソースを用いてブロードキャストされ及び上記サービスをトランスポートする上記トランスポートブロックは、合成前のトランスポートブロック品質と比較して改善されたトランスポートブロック品質を有する合成トランスポートブロックへ、ワイヤレスデバイスによる受信後に合成可能である。
【００２０】
これにより、ワイヤレスデバイスは、合成に起因する改善された受信条件の恩恵を受けることになる。ネットワークレベルでは、これら改善された受信条件は、例えば、ワイヤレス通信システムにおいて使用される予約されるセルの数の低減を可能にし得る。ＭＢＭＳに関する１つ以上のサービスカバレッジエリアもまた合成に起因して拡張され得る。
【００２１】
ここでは、ＭＢＳＦＮ通信のために構成されるワイヤレスデバイスもまた開示される。上記ワイヤレスデバイスは、第１のＭＢＳＦＮ内に含まれないＲＢＳから、上記第１のＭＢＳＦＮにおいてサービスをブロードキャストするために使用される第１の通信リソースに関する情報を受信する、ように構成される。
【００２２】
これにより、上で言及したように、上記第１のＭＢＳＦＮにおけるグループ通信へ移行することに関連付けられる遅延が低減される。
【００２３】
複数の観点によれば、上記ワイヤレスデバイスは、第１及び第２の通信リソースをそれぞれ用いて第１及び第２のトランスポートブロックを受信する、ように構成され、上記第１及び第２の通信リソースは、上記サービスをトランスポートする。上記ワイヤレスデバイスは、受信された上記第１及び第２のトランスポートブロックを、合成前のトランスポートブロック品質と比較して改善されたトランスポートブロック品質を有する合成トランスポートブロックへ合成する、ようにも構成される。
【００２４】
これにより、上で言及したように、上記ワイヤレスデバイスは、合成に起因する改善された受信条件の恩恵を受けることになる。
【００２５】
いくつかの他の観点によれば、上記ワイヤレスデバイスは、第１のＭＢＳＦＮ及び第２のＭＢＳＦＮに関する２つ以上のＭＢＳＦＮ構成を同時に記憶する、ように構成される。
【００２６】
これにより、上記ワイヤレスデバイスは、当該ワイヤレスデバイスが必ずしもその時点でカバレッジ内にいない２つ以上のＭＢＳＦＮからのブロードキャストを受信することが可能にされる。上記ワイヤレスデバイスは、他の隣接ＭＢＳＦＮにおける受信信号品質を同時に評価しながら、あるＭＢＳＦＮにおいてブロードキャストを受信することをも可能にされる。
【００２７】
上で言及した目的のうちの少なくともいくつかは、ＲＢＳにおいて実行される方法によっても達成される。上記ＲＢＳは、第１のＭＢＳＦＮには含まれない。上記方法は、上記第１のＭＢＳＦＮにおいてサービスをブロードキャストするために使用される第１の通信リソースに関する情報を上記ＲＢＳによりブロードキャストすること、を含む。
【００２８】
上で言及した目的のうちの少なくともいくつかは、さらに、第１のＭＢＳＦＮを含むワイヤレス通信システムにおいて実行される方法により達成される。上記第１のＭＢＳＦＮは、１つ以上のさらなるＲＢＳを含む。上記ワイヤレス通信システムは、上記第１のＭＢＳＦＮに含まれない少なくとも１つのＲＢＳをも含む。上記方法は、上記第１のＭＢＳＦＮに含まれる上記１つ以上のさらなるＲＢＳにより、第１の通信リソースを用いてトランスポートブロックをブロードキャストすることと、上記トランスポートブロックは、サービスをトランスポートすることと、を含む。上記方法は、上記第１のＭＢＳＦＮに含まれない上記少なくとも１つのＲＢＳにより、上記第１のＭＢＳＦＮにおいて上記サービスをブロードキャストするために使用される上記第１の通信リソースに関する情報をブロードキャストすること、をも含む。
【００２９】
ここでは、ＭＢＳＦＮ通信のために構成されるワイヤレスデバイスにおける方法もまた開示される。上記方法は、上記ワイヤレスデバイスにより、第１及び第２のＭＢＳＦＮからそれぞれ第１及び第２の通信リソースを用いて第１及び第２のトランスポートブロックを受信することと、上記トランスポートブロックは、サービスをトランスポートすることと、を含む。上記方法は、上記ワイヤレスデバイスにより、受信された少なくとも上記第１及び第２のトランスポートブロックを、合成前のトランスポートブロック品質と比較して改善されたトランスポートブロック品質を有する合成トランスポートブロックへ合成すること、をも含む
【００３０】
上の方法とは別に、無線基地局、ワイヤレス通信システム、サーバデバイス又はワイヤレスデバイスにおいて実行された場合に、それぞれの装置又はシステムに、本教示に係る方法を実行させるコンピュータプログラムコード、を含むコンピュータプログラムもまたここで提供される。
【００３１】
上記方法及びコンピュータプログラムは、対応する上で言及したデバイスに関連して既に説明した利点に対応する利点を呈する。
【図面の簡単な説明】
【００３２】
これより、次の添付図面を参照しながら、本開示がより詳細に説明されるであろう。
【００３３】
【図１】従来技術に係る第１及び第２のＭＢＳＦＮを有するワイヤレス通信システムの概略図を示している。
【図２】本開示の複数の観点に係る、ＲＢＳと当該ＲＢＳを含まない第１のＭＢＳＦＮとを伴うワイヤレス通信システムの概略図を示している。
【図３】本開示の複数の観点に係る、第１及び第２のＭＢＳＦＮを有するワイヤレス通信システムの概略図を示している。
【図４】本開示の複数の観点に係る、ワイヤレス通信システムにおけるイベントのシーケンスを示している。
【図５】本開示の複数の観点に係る、無線基地局において実行される方法を例示するフローチャートを示している。
【図６】本開示の複数の観点に係る、ワイヤレス通信システムにおいて実行される方法を例示するフローチャートを示している。
【図７】本開示の複数の観点に係る、ワイヤレスデバイスにおいて実行される方法を例示するフローチャートを示している。
【図８】本開示の複数の観点に係る、無線基地局を概略的に示している。
【図９】本開示の複数の観点に係る、ワイヤレス通信システムを概略的に示している。
【図１０】本開示の複数の観点に係る、ワイヤレスデバイスを概略的に示している。
【発明を実施するための形態】
【００３４】
これより、添付図面を参照しながら本開示の複数の観点がより充分に説明されるであろう。ここで開示される様々なデバイス、コンピュータプログラム及び方法は、しかしながら、多くの異なる形式で実現されることができ、ここで説示される観点に限定されるものとして解釈されるべきではない。図面中の同類の番号は、一貫して同類の要素への言及である。
【００３５】
ここで使用される専門用語は、本開示の具体的な観点を説明する目的のためのものであり、本発明を限定することを意図されない。ここで使用されるところによれば、単数形の“a”、“an”及び“the”は、別段文脈が明確に示さない限り、複数形をも含むことを意図される。
【００３６】
図１は、従来技術に係る、２つのＭＢＳＦＮ（Multicast-Broadcast  Single  Frequency  Networks）を有するワイヤレス通信システム１００の概略図を示している。第１のＭＢＳＦＮ１１０は、サービスＡ及びサービスＢという２つのサービスをブロードキャストするように構成される、ＭＢＳＦＮ送信機１２０あるいは無線基地局（ＲＢＳ）を含む。サービスＡは、通信リソースｆ１を用いてブロードキャストされ、サービスＢは、通信リソースｆ２を用いてブロードキャストされる。
【００３７】
ブロードキャストのために使用される通信リソースｆ１、ｆ２は、ネットワークごとに及びシステムごとに変化する。そうした通信リソースの１つの例は、周波数帯域である。通信リソースの他の例は、時間スロットである。当然ながら、時間スロット及び周波数帯域の組み合わせもまた、特定の通信リソースを定義するために使用されてよい。よって、通信リソースのまた別の例は、ＬＴＥ（Long  Term  Evolution）セルラー通信システムにおけるサブフレームである。ブロードキャストにおける使用のために想起し得る他の通信リソースは、異なる複数の直交コード又は異なる複数の直交極性を含む。
【００３８】
ブロードキャストされるサービス及び対応する通信リソースは、図１において各ＭＢＳＦＮ送信機の近傍に‘サービス−通信リソース’というフォーマットで例示されており、例えば、通信リソース‘ｆ１’を用いてブロードキャストされるサービス‘Ａ’について‘Ａ−ｆ１’であり、通信リソース‘ｆ２’を用いてブロードキャストされるサービス‘Ｂ’について‘Ｂ−ｆ２’である。
【００３９】
ここで、いくつかの観点によれば、ＭＢＳＦＮは、ＴＳ３６．２１３“E-UTRA;  physical  layer  procedures  V12.5.0”（２０１５年３月）に従ってトランスポートブロックをブロードキャストするものと想定される。トランスポートブロックフォーマットに関する例示的な詳細について、この文書及びそこで引用される参照文献が参照される。
【００４０】
１つの例示的な設定において、ワイヤレス通信システムは、ＬＴＥ（Long  Term  Evolution）ネットワークである。ここで、グループ通信に参加することを希望するワイヤレスデバイスは、まず、ＭＢＳＦＮ送信機からシステム情報ブロック（ＳＩＢ）２を受信する。ＳＩＢ２は、ＭＢＭＳ（Multicast-Broadcast  Multimedia  Services）のために使用されているサブフレームに関する情報を含む。ワイヤレスデバイスは、ＬＴＥ無線フレーム構造内のいわゆるＭＢＭＳ制御チャネル（ＭＣＣＨ）の位置をワイヤレスデバイスが特定することを可能にするＳＩＢ１３をも受信する。ＭＣＣＨは、一方で、どの一時モバイルグループ識別子（ＴＭＧＩ）が利用可能であるか、及びそのＴＭＧＩに対応するブロードキャストされるメディアをどこに見出すことができるか、即ち、どの通信リソースがどのサービスをブロードキャストするために使用されるのか、をワイヤレスデバイスが発見することを可能にする情報を搬送する。
【００４１】
上で議論した仕組みに加えて、ワイヤレスデバイスは、１つ以上のサービスアナウンスメントをも受信し得る。サービスアナウンスメントは、ＭＢＭＳブロードキャストと同じネットワーク上でワイヤレスに伝達されることの多いメッセージであり、ブロードキャストされるサービスに関する情報を含む。例えば、サービスアナウンスメントは、例えばフットボールの試合といった具体的なブロードキャストの開始時刻、及びどのＴＭＧＩがそのブロードキャストに関連付けられるか、に関する情報を含み得る。サービスアナウンスメントが一旦ワイヤレスデバイスにより受信されると、ワイヤレスデバイスは、グループ通信の聴取をいつ開始すべきか、及び聴取の期間中にどの通信リソースを使用すべきかを知得する。
【００４２】
ＳＩＢ２及びＳＩＢ１３のさらなる詳細は、例えば３ＧＰＰ  ＴＳ３６．３３１  Ｖ．１２．５．０（２０１５年３月）及びそこで引用される参照文献において与えられている。ＭＣＣＨに関するさらなる詳細は、例えば３ＧＰＰ  ＴＳ２５．３４６  Ｖ．１２．０．０（２０１４年３月）及びそこで引用される参照文献において与えられている。
【００４３】
図１に示した２つのＭＢＳＦＮは、図１において破線で概略的に記されたＭＢＳＦＮエリアあるいはＭＢＳＦＮカバレッジエリアに関連付けられる。ここで、カバレッジエリアとは、所与の送信される無線信号を受信し、その無線信号により搬送される情報を、恐らくは他のカバレッジエリア又はネットワークにおいて送信される他の無線信号などの他のソースをも用いながら、成功裏に解釈することのできる、地理的エリア、ボリューム又は領域として解釈されるべきである。よって、例を挙げると、無線信号がデータパケットを搬送するケースにおいて、カバレッジエリアは、任意の受信無線信号の処理後のデータパケットロスの確率がある許容可能なパケットロスの確率を下回るエリアとして定義されてもよい。無線信号又は信号群が音声を搬送するケースでは、カバレッジエリアは、例えば、任意の受信無線信号の処理後の受信信号品質が音声品質を許容可能なレベルにするために十分であるエリアとして定義されてもよい。また、カバレッジエリアは、受信されるデジタル信号におけるビットエラーレートがある許容可能なレベルを下回るエリアとして定義されてもよい。
【００４４】
図１は、第２のＭＢＳＦＮ１４０から第１のＭＢＳＦＮ１１０へ移動するワイヤレスデバイス１３０、１３１、１３２をも示している。当該ワイヤレスデバイスは、いくつかの観点によれば、モバイルフォン、スマートフォン、ユーザ機器（ＵＥ）、ラップトップ、又は、グループ通信へ参加する機能性を伴ういかなる他のモバイルワイヤレスデバイスであってもよい。
【００４５】
ワイヤレスデバイス１３０は、ＭＢＳＦＮ２のカバレッジエリアの範囲内に位置する場合、通信リソースｆ３及びｆ４上でそれぞれブロードキャストされるサービスＢ及びＣを受信することができる。しかしながら、ワイヤレスデバイス１３１は、第２のＭＢＳＦＮ１４０を離れようとしているため、第２のＭＢＳＦＮ上の無線送信はますます弱くなり、最終的には第２のＭＢＳＦＮ１４０内のサービスをもはやワイヤレスデバイス１３１へ成功裏に伝達することができなくなる。好適には、ワイヤレスデバイスは、第１のＭＢＳＦＮ１１０からのサービスの受信に切り替えるべきであり、即ち、これら２つのＭＢＳＦＮの間でサービスＢについてサービス連続性があるべきである。
【００４６】
３ＧＰＰ  ＴＳ２３．４６８  ｖ．１３．０．０（２０１５年３月）において開示されたサービス連続性の方法によれば、ワイヤレスデバイスは、自身のグループ通信、即ち自身のサービスＢ及びＣを、ユニキャストへ移管させなければならないであろう。
【００４７】
なお、ユニキャストへの移管は、ワイヤレスデバイスがそれ以前に未接続である場合に、ワイヤレスデバイスが、例えばＬＴＥネットワーク又は将来の５Ｇセルラーネットワークを含む他のセルラーネットワークといったＭＢＳＦＮを含むセルラーネットワークへ接続することを伴う。
【００４８】
ＬＴＥの設定では、ワイヤレスデバイスがセルラーネットワークへ接続しなくてもよいことは、ワイヤレスデバイスが無線リソース制御（ＲＲＣ）アイドルモードに留まることができることを意味し、ＲＲＣアイドルモードにおいてワイヤレスデバイスはサイレントであってそのセルロケーションは未知である。セルラーネットワークへワイヤレスデバイスが接続することは、ワイヤレスデバイスがＲＲＣ接続済みモードへ移行しなければならないことを意味する。
【００４９】
ワイヤレスデバイス１３２は、最終的には、第１のＭＢＳＦＮ１１０内のＲＢＳ又はｅＮｏｄｅＢの到達範囲内に達し及び／又はそれへハンドオーバすることになる。ワイヤレスデバイス１３２は、すると、その第１のＭＢＳＦＮにおいて提供されるサービスについて学習するためにＳＩＢ及びＭＣＣＨを受信することになり、その後、第１のＭＢＳＦＮにおいてユニキャストからマルチキャストへ再移管されることができる。図１に示したシナリオでは、ワイヤレスデバイス１３２は、サービスＢのグループ通信への参加を再開し得る。図１の例によれば、サービスＣはＭＢＳＦＮ１において利用可能ではない。
【００５０】
よって、図１に示したように、ＭＢＳＦＮへ進入し又は複数のＭＢＳＦＮの間で移動することに関連付けられる複数の欠点が存在する。
【００５１】
第一に、グループ通信への参加をワイヤレスデバイスが開始することに関連付けられる、望ましくない遅延が存在する。これを理解するために、ワイヤレスデバイスが第１のＭＢＳＦＮ１１０へ進入し及びサービスＡを含むグループ通信に加わることを希望していることを考慮されたい。当該ワイヤレスデバイスは、ＭＢＳＦＮ１のカバレッジエリア内に達するまで、ＭＢＳＦＮ１においてサービスＡが利用可能であるかを判定することができない。第１のＭＢＳＦＮ内でサービスＡが利用可能であることを一旦ワイヤレスデバイスが認識すると、ワイヤレスデバイスは、どの通信リソースがそのサービスをブロードキャストするために使用されるのか、例えばそのサービスを伝達するためにどの周波数帯域及び時間スロットが使用されているのかを判定しなければならず、その後にサービスＡの受信を開始することができる。これら初期化ステップには時間が掛かり、これはグループ通信への参加をワイヤレスデバイスが開始することに関連付けられる望ましくない遅延が存在することを意味する。
【００５２】
第二に、ユニキャストへの移管は、そのユニキャストへの移管が常に失敗無しではなく、グループ通信の停止を引き起こしかねないことから、リスクを呈する。例えば、ユニキャストネットワークにおける輻輳のケースでは、ユニキャストへの移管のための余地が存在しないかもしれない。また、このユニキャストへの移管は、時間の掛かる相当な量のネットワークシグナリングを伴う。従って、いくつかのケースでは、マルチキャストからユニキャスト及びその逆の移管に関連付けられるかなりの遅延が存在する。
【００５３】
図２は、本開示の複数の観点に係る第１のＭＢＳＦＮ２１０を有するワイヤレス通信システムの概略図を示している。図１に関連して使用し及び説明した表記、具体的にはサービス及び通信リソースに関する表記は、図２においても再利用されており、但し１つの例外がある；サービス及び／又は所与の通信リソースに関する情報をブロードキャストするのみであって、その通信リソースを用いて実際のサービスをブロードキャストしないＲＢＳは、‘(INFO)’というテキストでマーク付けされている。
【００５４】
図１に関連して言及した、ワイヤレス通信システム、ワイヤレスデバイス及び他のシステムの観点は、図２においても想起可能である。よって、１つの例示的な設定において、ワイヤレス通信システム２００は、ＬＴＥ（Long  Term  Evolution）ネットワークである。図１に関連して言及した通信リソースの例は図２にもあてはまり、ワイヤレスデバイスの例もその通りである。
【００５５】
図２は、第１のＭＢＳＦＮ２１０においてサービスＡをブロードキャストするために使用される第１の通信リソースｆ１に関する情報をブロードキャストする、ように構成されるＲＢＳ２５０を示している。図２に示したように、第１のＭＢＳＦＮ２１０は、ＲＢＳ２５０を含まない。これは、図２において最も左にあるＲＢＳとして示したＲＢＳ２５０が第１のＭＢＳＦＮから離れていることを意味し、ＲＢＳ２５０は、第１のＭＢＳＦＮに含まれる複数のさらなるＲＢＳ２２０によりブロードキャストされるサービスを、同じ通信リソースを用いて実際にはブロードキャストしない。
【００５６】
言い換えれば、ＲＢＳ２５０は、第１のＭＢＳＦＮ２１０の一部ではなく、従って、第１の通信リソースｆ１を用いてサービスＡをトランスポートするトランスポートブロックをブロードキャストしない、ように構成される。これは、ＲＢＳ２５０が第１のＭＢＳＦＮに関連付けられないことをも意味する。なお、ＲＢＳ２５０は、第１のＭＢＳＦＮにおいてブロードキャストされるものと同じサービス又はサービス群をブロードキャストしてもよいが、その場合、それらサービスは少なくとも部分的に異なる通信リソースを用いてブロードキャストされる。
【００５７】
ＲＢＳ２５０が第１のＭＢＳＦＮ２１０に含まれないことの帰結として、当該ＲＢＳは、第１のＭＢＳＦＮ２１０のカバレッジエリア２１１とは異なるカバレッジエリア２５１上で第１の通信リソースｆ１に関する情報をブロードキャストする、ように構成される。
【００５８】
いくつかの観点によれば、第１の通信リソースｆ１に関する情報は、第１のＭＢＳＦＮ２１０においてサービスＡを含むブロードキャストを受信する目的で第１の通信リソースｆ１を識別するための情報を含む。よって、最も左のＲＢＳ２５０のカバレッジエリア２５０の範囲内に位置するワイヤレスデバイスは、当該ワイヤレスデバイスが第１のＭＢＳＦＮのカバレッジエリアへ実際に入る前に、当該カバレッジエリアへ入った直後に第１のＭＢＳＦＮからのブロードキャストを聴取することを可能にする情報を受信することになる。
【００５９】
いくつかのさらなる観点によれば、通信リソースは、周波数帯域、時間スロット、又は周波数帯域と時間スロットとの組み合わせ、のうちのいずれかを含む。具体的には、以下でさらに議論されるように、通信リソースは、ＬＴＥの設定においては、サブフレーム又は複数のサブフレームのシーケンスを含んでもよく、サブフレームのシーケンスは恐らくは他のサブフレームと共に時間的にインターリーブされる。
【００６０】
既に注記したように、ワイヤレス通信システム２００は、ＲＢＳ２５０に加えて、１つ以上のさらなるＲＢＳ２２０あるいはＭＢＳＦＮ送信機をも含む。第１のＭＢＳＦＮ２１０がそれら１つ以上のさらなるＲＢＳ２２０を含む。１つ以上のさらなるＲＢＳ２２０は、第１の通信リソースｆ１を用いてトランスポートブロックをブロードキャストする、ように構成される。それらトランスポートブロックは、ワイヤレス通信システム２００内の１つ以上のワイヤレスデバイス２３１、２３２、２３３へ上で言及したサービスＡをトランスポートする。これは、図２において、第１のＭＢＳＦＮ２１０に含まれるＲＢＳに関連して、‘Ａ−ｆ１’で示されている。図２において‘Ａ−ｆ１(info)’でマーク付けされたＲＢＳは、第１のＭＢＳＦＮ２１０には含まれない。
【００６１】
ＲＢＳ２５０のカバレッジエリア２５１を通過し及び第１のＭＢＳＦＮ２１０のカバレッジエリア２１１へ向けて移動中であって第１のＭＢＳＦＮによるグループ通信への参加を希望するワイヤレスデバイス２３０は、第１のＭＢＳＦＮに関連付けられるさらなるＲＢＳ２２０の到達範囲内に実際に達するに先立って、第１のＭＢＳＦＮにおけるブロードキャストに関する情報を今や受信するであろう。当該ワイヤレスデバイスは、従って、第１のＭＢＳＦＮにおいてサービスＡをブロードキャストするために使用される第１の通信リソースｆ１に関する情報がＲＢＳ２５０から取得されない場合と比較して、より早い時点でグループ通信のための準備を行うことができる。
【００６２】
よって、ワイヤレスデバイスは、ブロードキャストされるトランスポートブロックを十分な信号品質で受信可能になるとすぐにグループ通信の聴取を開始できることから、第１のＭＢＳＦＮにおけるグループ通信への移行に関連付けられる遅延が低減される。さらに、ワイヤレスデバイスは、第１のＭＢＳＦＮに含まれないＲＢＳ２５０によりブロードキャストされる情報を受信できるとすれば、第１のＭＢＳＦＮによるサービスＡを受信する目的でネットワークへ接続しなくてもよい。
【００６３】
一例としてのＬＴＥ（Long  Term  Evolution）の設定では、ワイヤレスデバイスがセルラーネットワークへ接続しなくてもよいことは、ワイヤレスデバイスが無線リソース制御（ＲＲＣ）アイドルモードに留まることができることを意味し、ＲＲＣアイドルモードにおいてワイヤレスデバイスはサイレントであってそのセルロケーションは未知である。セルラーネットワークへワイヤレスデバイスが接続することは、ワイヤレスデバイスがＲＲＣ接続済みモードへ移行しなければならないことを意味する。
【００６４】
いくつかの観点によれば、ワイヤレス通信システム２００はＬＴＥネットワークであって、図２に示したＲＢＳはＬＴＥセルラー通信ネットワーク内に含まれるｅＮｏｄｅＢである。この場合、ワイヤレスデバイス２３０は、ＲＢＳ２５０が第１のＭＢＳＦＮには関連付けられないとしても、ＲＢＳ２５０から既に、第１のＭＢＳＦＮに関連付けられるＲＢＳ群によりブロードキャストされるシステム情報ブロック（ＳＩＢ）２において搬送されるものに相当する情報を受信しているであろう。第１のＭＢＳＦＮに関連付けられるＲＢＳ群によりブロードキャストされるＳＩＢ２において搬送されるものに相当する上記情報は、以下にさらに議論されるいくつかの観点によれば、修正されたＳＩＢ２に含められる。その情報は、第１のＭＢＳＦＮ２１０においてＭＢＭＳ（Multicast-Broadcast  Multimedia  Services）のために使用されるサブフレームに関する。同様のやり方で、ワイヤレスデバイスは、ＲＢＳ２５０から既に、第１のＭＢＳＦＮに関連付けられるＲＢＳ群によりブロードキャストされるＳＩＢ１３において搬送されるものに相当する情報をも受信し、その情報によって、ワイヤレスデバイスは、第１のＭＢＳＦＮ内で使用されるＬＴＥ無線フレーム構造内のいわゆるＭＢＭＳ制御チャネル（ＭＣＣＨ）の位置をワイヤレスデバイスが特定することが可能となる。ＭＣＣＨは、一方で、どの一時モバイルグループ識別子（ＴＭＧＩ）が利用可能であるか、及びそのＴＭＧＩに対応するブロードキャストされるメディアをどこに見出すことができるか、即ち、どの通信リソースがどのサービスをブロードキャストするために使用されるのか、をワイヤレスデバイスが発見することを可能にする情報を搬送する。但し、ワイヤレスデバイス２３１が第１のＭＢＳＦＮのカバレッジ内に達するまで、実際のＭＣＣＨを受信することはできない。第１のＭＢＳＦＮに関連付けられるＲＢＳ群によりブロードキャストされるＳＩＢ１３内で搬送されるものに相当する上記情報は、いくつかの観点によれば、以下にさらに議論され、ＲＢＳ２５０によりブロードキャストされる修正されたＳＩＢ１３に含められる。
【００６５】
いくつかの観点によれば、第１の通信リソースｆ１に関する情報は、サービスアナウンスメントを含み、サービスアナウンスメントは、第１のＭＢＳＦＮ２１０においてブロードキャストされるＭＢＭＳ（Multicast-Broadcast  Multimedia  Service）コンテンツに関する情報を含む。さらに、第１の通信リソースｆ１に関する情報は、第１のＭＢＳＦＮ２１０においてブロードキャストされるサービスＡに対応するＴＭＧＩ（Temporary  Mobile  Group  Identification）を含んでもよい。
【００６６】
また、いくつかの観点によれば、ＲＢＳ２５０によりブロードキャストされる第１の通信リソースｆ１に関する情報は、修正されたＳＩＢ（System  Information  Block）２を含み、当該修正されたＳＩＢ２は、第１のＭＢＳＦＮ２１０においてＭＢＭＳのために予約されている１つ以上のＬＴＥサブフレームに関する情報及び／又は当該サブフレームを識別する情報を含む。
【００６７】
さらに、複数の観点によれば、ＲＢＳ２５０によりブロードキャストされる第１の通信リソースｆ１に関する情報は、修正されたＳＩＢ１３を含み、当該修正されたＳＩＢ１３は、第１のＭＢＳＦＮのＬＴＥ無線フレーム構造におけるＭＣＣＭ（MBMS  Control  Channel）の位置に関する情報及び／又は当該位置を識別する情報を含む。
【００６８】
修正されたＳＩＢについてこれより説明し及び例示する；
従来技術に係るＳＩＢ２又は１３は、例えばＴＳ３６．３３１  Ｖ１２．５．０（２０１５年３月）及びそこで引用される参照文献において説明されている通りであり、当該ＳＩＢをブロードキャストするＲＢＳを含むＭＢＳＦＮでのブロードキャストのみに関する情報を含む。言い換えれば、ブロードキャストされるサービスに関する情報をある通信リソースを用いて搬送するＳＩＢは、その通信リソースを用いてそのブロードキャストを実際に行うネットワークにおいてのみ利用可能である。よって、従来技術に係るＳＩＢは、当該ＳＩＢを送信するＲＢＳを含むＭＢＳＦＮ内のＭＢＭＳに関する情報を含むだけである。
【００６９】
これに対し、修正されたＳＩＢは、当該修正されたＳＩＢをブロードキャストするＲＢＳのＭＢＳＦＮとは別のＭＢＳＦＮに含まれる送信機によるブロードキャストに関する情報をも含む。
【００７０】
よって、修正されたＳＩＢは、当該修正されたＳＩＢを送信するＲＢＳのＭＢＳＦＮとは異なる隣接ＭＢＳＦＮなどの他のＭＢＳＦＮにおけるブロードキャストに関する情報を含む。修正されたＳＩＢを受信するワイヤレスデバイスは、例えば隣接するＭＢＳＦＮにおけるブロードキャストについて学習するだけでなく、それらブロードキャストが現在のＲＢＳからは利用可能ではないこと又は現在のＭＢＳＦＮによっては利用可能ではないことをも学習する。
【００７１】
上記修正されたＳＩＢ２及びＳＩＢ１３に関する一例として、ＬＴＥネットワークを考慮されたい。ＴＳ３６．３３１  Ｖ１２．５．０“Evolved  Universal  Terrestrial  Radio  Access  (E-UTRA);  Radio  Resource  Control  (RRC);  Protocol  specification”（２０１５年３月）は、ＳＩＢ２及びＳＩＢ１３の複数のエレメントを定義している。ＳＩＢ２の１つのそうしたエレメントは、ＭＢＳＦＮ割り当てに関する。このエレメントをMBSFN-SubframeConfigListといい、次のように定義される：
MBSFN-SubframeConfigList  ：：＝SEQUENCE（SIZE（1..maxMBSFN-Allocations））  OF  MBSFN-SubframeConfig
【００７２】
一例としての修正されたＳＩＢ２において、このエレメントが複製され及び名称変更される。よって、修正されたＳＩＢ２内に新たなエレメントが取り入れられ、そのエレメントは、第１のＭＢＳＦＮ２１０のような隣接ＭＢＳＦＮにおけるＭＢＭＳのために予約されている１つ以上のＬＴＥサブフレームに関する情報及び／又は当該サブフレームを識別する情報を含む。この新たなエレメントは、複数の観点によれば、次のように定義される：
neig-MBSFN-SubframeConfigList  ：：＝SEQUENCE（SIZE（1..maxMBSFN-Allocations））  OF  MBSFN-SubframeConfig
ここで、‘neig’は‘neighboring（隣接）’の短縮形である。
【００７３】
新たなＳＩＢ２のエレメントは、この場合、修正されたＳＩＢを送信するＲＢＳのＭＢＳＦＮとは別のＭＢＳＦＮに関するＭＢＳＦＮ構成を含む。
【００７４】
同様の手法で、複数の観点によれば、修正されたＳＩＢ１３は、次の新たなエレメントを含む：
既に存在するエレメントである
mbsfn-AreaInfoList-r9  of  type  MBSFN-AreaInfoList-r9
に加えて、
neigh-mbsfn-AreaInfoList-r9  of  type  MBSFN-AreaInfoList-r9
【００７５】
これらエレメントは、その時点のＭＢＳＦＮ及び他のＭＢＳＦＮの双方に対応する情報を併せて含む。
【００７６】
図３は、本開示の複数の観点に係る第１及び第２のＭＢＳＦＮを有するワイヤレス通信システムの概略図を示している。具体的には、図３は、ワイヤレス通信システム３００を示しており、ワイヤレス通信システム３００は、図２に示したものと同様であって、但し第１のＭＢＳＦＮ３１０とは少なくとも部分的に別個の第２のＭＢＳＦＮ３４０をも含む。第２のＭＢＳＦＮ３４０に少なくとも１つのＲＢＳ３５０が関連付けられ、即ち、それは第２のＭＢＳＦＮに含まれていて、第２の通信リソースｆ２を用いてトランスポートブロックをブロードキャストする、ように構成される。第２の通信リソースｆ２を用いるトランスポートブロックは、ワイヤレス通信システム３００内の１つ以上のさらなるワイヤレスデバイス２３０、２３１へサービスＡをトランスポートする。
【００７７】
本開示は、屋内の及び屋外の通信システムに適用可能であり、屋内及び屋外のカバレッジエリアの双方を含む通信システムにも適用可能であることが理解される。さらに、１つのＭＢＳＦＮカバレッジエリアが他のＭＢＳＦＮエリア内に含まれてもよく、例えば、１つのＭＢＳＦＮが建物の内部に配備され、その建物が一方でより大きい屋外のＭＢＳＦＮのカバレッジエリア内に位置するといった場合である。また、ＭＢＳＦＮ送信機又はＲＢＳは、複数の観点によれば、第１のＭＢＳＦＮ３１０に関連付けられ及び第２のＭＢＳＦＮ３４０にも関連付けられてもよい。
【００７８】
提案技法のサービス連続性に関する有利な効果は、図３及び図４を見ることにより理解され得る。図４は、図３に示したワイヤレス通信システムなどのワイヤレス通信システムにおけるイベントの一例としてのシーケンスを示している。第２のＭＢＳＦＮ３４０のカバレッジエリア内にワイヤレスデバイス２３０が位置し、ワイヤレスデバイス２３０は通信リソースｆ２を用いて第２のＭＢＳＦＮ３４０内でブロードキャストされているサービスＡを受信４１０しているものとする。さらに、当該ワイヤレスデバイスは、第１のＭＢＳＦＮ３１０のカバレッジエリアへ向けて移動しており、従ってそれら２つのＭＢＳＦＮの間の境界エリアへ接近４２０するものとする。よって、ある時点において、第２のＭＢＳＦＮにおけるブロードキャストはもはや受信可能ではなく、ワイヤレスデバイスは第１のＭＢＳＦＮ内での同じサービスＡの受信に切り替える４６０ことを希望するであろう。
【００７９】
提案技法によれば、上記ワイヤレスデバイスは、ユニキャストへ移管されない。むしろ、上記ワイヤレスデバイスは、隣接ＭＢＳＦＮエリアへ実際に進入する前に、隣接ＭＢＳＦＮエリア内でブロードキャストされるサービスについて学習する。この学習４３０は、例えばＭＢＳＦＮの近隣のＲＢＳを、隣接ＭＢＳＦＮにおいてブロードキャストされているサービスに関するシステム情報をブロードキャストするように構成することにより達成される。これが、ワイヤレスデバイス２３１にＭＢＳＦＮへ進入する前に隣接ブロードキャストサービスを認識させることになる。この場合、ワイヤレスデバイスは、現行のＭＢＳＦＮエリアを離れる前にブロードキャストサービスの聴取を開始４４０し及び潜在的に受信を開始することができる。オプションとして、ワイヤレスデバイスは、改善された信号対雑音比、及び改善された信号対干渉及び雑音比、又は改善されたトランスポートブロックエラー修復性（error  resilience）の点において、トランスポートブロック品質を改善するための合成４５０を適用することもできる。結果的に、ワイヤレスデバイスは、本教示によって、今や何らのサービスの中断も無く新たなサービスの聴取を開始することができ、オプションとして、カバレッジが十分である限り以前のサービスの聴取を継続することができる。よって、サービス連続性が改善される。
【００８０】
いくつかの観点によれば、第２のＭＢＳＦＮにおける及び第１のＭＢＳＦＮにおけるサービスＴＭＧＩ、例えばＴＭＧＩ  Ｘは、同一であってもよく、又は部分的に同一のグループデータを含んでもよい。サービスが異なる場合、ＭＢＭＳコアにおける局所化されたサービスについての異なるフローＩＤによってそれらを識別することができる。
【００８１】
当然ながら、イベントの逆のシーケンスもまた可能であり、即ち、第１のＭＢＳＦＮ３１０から第２のＭＢＳＦＮ３４０へ移動するワイヤレスデバイスについてである。このケースにおいて、第１のＭＢＳＦＮのいくつかの境界エリアＲＢＳは、第２のＭＢＳＦＮにおいてブロードキャストされるサービスに関して通知をすべきである。図３を参照すると、いくつかの観点によれば、第１のＭＢＳＦＮ３１０に含まれる１つ以上のさらなるＲＢＳ３２０のうちの少なくともいくつかが、第２のＭＢＳＦＮ３４０においてサービスＡをブロードキャストするために使用される第２の通信リソースｆ２に関する情報をブロードキャストする、ように構成される。
【００８２】
複数の観点によれば、第１の及び第２のＭＢＳＦＮにおいてブロードキャストされるトランスポートブロックのいくつかは、同じサービスをトランスポートし、合成前のトランスポートブロック品質と比較して改善されたトランスポートブロック品質を有する合成トランスポートブロックへ、ワイヤレスデバイスによる受信後に合成可能である。これは、２つのＭＢＳＦＮにおいて同じサービスが送信される場合、即ち図３におけるサービスＡの場合に、双方のＭＢＳＦＮから同時に信号を受信するような位置にいるワイヤレスデバイス２３１が異なる複数の通信リソース（例えば、ＬＴＥセルラー通信システムの異なる複数のサブフレーム）において送信されるサービスＡのブロードキャストを受信するであろうことを意味する。
【００８３】
さて、１つのトランスポートブロックを用いてエラー訂正が可能であるよりも多くのビットエラーが存在する場合、ワイヤレスデバイス２３１は、他の通信リソース上で受信される第２のあるいは追加的な１つ又は複数のトランスポートブロックをも考慮することによりエラー訂正を実行してもよく、そのようにしてブロックをエラー訂正する確率が向上される。同じサービスをトランスポートするトランスポートブロックのサブセットは、よって、合成前のトランスポートブロック品質と比較して改善されたトランスポートブロック品質を有する合成トランスポートブロックへと受信後に合成可能である。
【００８４】
１つよりも多くの受信トランスポートブロックに基づいてエラー訂正を実行することへの代替又は補完として、ワイヤレスデバイス２３１は、エラー訂正の実行に先立って２つのトランスポートブロックを合成してもよく、即ち、同じサービスをトランスポートする複数のトランスポートブロックのソフト受信ダイバーシティ合成を実行してもよい。
【００８５】
１つよりも多くの受信トランスポートブロックに基づいてエラー訂正を実行することへの代替又は補完として、ワイヤレスデバイス２３１は、双方のトランスポートブロックについて個別にエラー訂正を実行し、次いで正確に復号された可能性のより高いトランスポートブロックを使用すべきトランスポートブロックとして選択し、他のトランスポートブロックを破棄してもよい。例えば、受信トランスポートブロックとエラー訂正後のトランスポートブロックとの間のハミング距離を判定することにより、正確に復号された可能性のより高いトランスポートブロックを選択することができる。
【００８６】
複数の観点によれば、改善されたトランスポートブロック品質は、改善された信号対雑音比、改善された信号対干渉及び雑音比、改善されたトランスポートブロックエラー修復性、及び改善されたトランスポートブロックエラー確率、のうちのいずれか１つである。
【００８７】
図２及び図３は、ワイヤレス通信システム内でブロードキャストされるどのトランスポートブロックが、合成前のトランスポートブロック品質と比較して改善されたトランスポートブロック品質を有する合成トランスポートブロックへワイヤレスデバイス２３１による受信後に合成可能であるか、に関する情報をワイヤレス通信システム内のワイヤレスデバイス２３０、２３１、２３２、２３３へ提供する、ように構成されるサーバデバイス２９０、３９０をも示している。
【００８８】
複数の観点によれば、サーバデバイス２９０、３９０は、３ＧＰＰ  ＴＳ２２．４６８  Ｖ１３．０．０（２０１４年１２月）に従ったグループ通信サービスアプリケーションサーバ（ＧＣＳ  ＡＳ）を含む。また、サーバデバイス２９０、３９０は、ワイヤレス通信システム２００、３００のＲＢＳ内に含まれてもよく、又は、スタンドアローンデバイスとして実装されてもよい。
【００８９】
図２、図３及び図４に示されているワイヤレスデバイス２３１にあらためて話を戻す。このワイヤレスデバイスは、ＭＢＳＦＮ通信のために構成され、第１のＭＢＳＦＮ内に含まれないＲＢＳ２５０から、第１のＭＢＳＦＮにおいてサービスＡをブロードキャストするために使用される第１の通信リソースｆ１に関する情報を受信する、ようにも構成される。
【００９０】
いくつかの観点によれば、上で議論したように、ワイヤレスデバイス２３１は、第１及び第２の通信リソースｆ１、ｆ２をそれぞれ用いて第１及び第２のトランスポートブロックを受信する、ようにさらに構成され、第１及び第２の通信リソースは、サービスＡをトランスポートする。ワイヤレスデバイス２３１は、受信された第１及び第２のトランスポートブロックを、合成前のトランスポートブロック品質と比較して改善されたトランスポートブロック品質を有する合成トランスポートブロックへ合成する、ようにも構成される。
【００９１】
ワイヤレスデバイスの上記合成機能は、上で議論されており、従ってここではあらためて議論されないであろう。
【００９２】
複数の観点によれば、ワイヤレスデバイス２３１は、ワイヤレス通信システムのサーバデバイス２９０、３９０から、受信後に合成可能なブロードキャストされるトランスポートブロックに関する情報を受信する、ようにさらに構成される。よって、ワイヤレスデバイスは、複数の通信リソースを用いて同じサービスを受信し及び上で議論したようにトランスポートブロックの合成を実行することを例えば指示する情報を取得してもよい。
【００９３】
いくつかのさらなる観点によれば、ワイヤレスデバイス２３１は、少なくとも第１のＭＢＳＦＮ及び第２のＭＢＳＦＮに関する２つ以上のＭＢＳＦＮ構成を同時に記憶する、ように構成される。この特徴は、例えば異なる複数のブロードキャストの信号品質を測定する目的で、並びに、異なる複数のＭＢＳＦＮブロードキャストの間でいつ切り替えをすべきか、及び恐らくは２つ以上の異なるＭＢＳＦＮにおける同じサービスの２つ以上のブロードキャストをいつ合成すべきかを判定する目的で、１つよりも多くのＭＢＳＦＮにおいてワイヤレスデバイスがブロードキャストをモニタリングすることを可能にする。
【００９４】
このようにして、ワイヤレスデバイスは、当該ワイヤレスデバイスがその時点でカバレッジ内にいない２つ以上のＭＢＳＦＮからブロードキャストを受信するように手配され及びその受信を可能とされる。ワイヤレスデバイスは、他の隣接ＭＢＳＦＮにおける受信信号品質を同時に評価しながら、あるＭＢＳＦＮにおいてブロードキャストを受信することをも可能にされる。
【００９５】
図５は、本開示の複数の観点に係るＲＢＳにおいて実行される方法を例示するフローチャートを示している。ＲＢＳは、第１のＭＢＳＦＮとは別個であって第１のＭＢＳＦＮには含まれず、当該方法は、第１のＭＢＳＦＮにおいてサービスＡをブロードキャストするために使用される第１の通信リソースｆ１に関する情報を当該ＲＢＳによりブロードキャストすることＳＡ１、を含む。図２及び図３に関連して、ＲＢＳ２５０、３５０が示されており、上で議論された。
【００９６】
複数の観点によれば、上記ブロードキャストすることは、第１のＭＢＳＦＮ２１０のカバレッジエリアとは異なるカバレッジエリア２５１上で第１の通信リソースｆ１に関する情報をブロードキャストすることＳＡ１１、をさらに含む。このカバレッジエリア２５１は、図２に概略的に示されている。
【００９７】
図６は、本開示の複数の観点に係るワイヤレス通信システムにおいて実行される方法を例示するフローチャートを示している。具体的には、第１のＭＢＳＦＮ２１０を含むワイヤレス通信システム２００において実行される方法が示されている。第１のＭＢＳＦＮは、１つ以上のさらなるＲＢＳ２２０を含む。ワイヤレス通信システム２００は、第１のＭＢＳＦＮ２１０に含まれない少なくとも１つのＲＢＳ２５０をも含む。当該方法は、第１のＭＢＳＦＮに含まれる１つ以上のさらなるＲＢＳにより、第１の通信リソースｆ１を用いてトランスポートブロックをブロードキャストすることＳＢ１、を含む。それらトランスポートブロックは、サービスＡをトランスポートする。当該方法は、第１のＭＢＳＦＮ２１０に含まれない少なくとも１つのＲＢＳ２５０により、第１のＭＢＳＦＮにおいてサービスＡをブロードキャストするために使用される第１の通信リソースｆ１に関する情報をブロードキャストすることＳＢ３、をも含む。
【００９８】
複数の観点によれば、上記通信リソースは、周波数帯域、時間スロット、ＬＴＥサブフレーム、又は周波数帯域と時間スロットとの組み合わせ、のうちのいずれかを含む。これにより、開示した技法は、様々な範囲の通信リソース及びシステムアーキテクチャに適用可能であることから、その技法を複数の異なる多様な通信システムに適用することができる。よって、上記複雑度の低いサービス連続性プロセスを維持しながら、ワイヤレス通信ネットワーク内のブロードキャストの機能性の配備における柔軟性が達成される。
【００９９】
複数の観点によれば、少なくとも１つのＲＢＳ３５０は、第１のＭＢＳＦＮ３１０とは少なくとも部分的に別個の第２のＭＢＳＦＮ３４０に関連付けられる。上記方法は、この場合、第１のＭＢＳＦＮに含まれない少なくとも１つのＲＢＳ３５０により、第２の通信リソースｆ２を用いてトランスポートブロックをブロードキャストすることＳＢ５と、当該トランスポートブロックは、サービスＡをトランスポートすることと、ワイヤレスデバイス２３１により、第１及び第２の通信リソースを用いてトランスポートされる、トランスポート対象サービスＡを受信することＳＢ７と共に、ワイヤレスデバイスにより、合成前のトランスポートブロック品質と比較して改善されたトランスポートブロック品質を有する合成トランスポートブロックへ、受信される第１及び第２のトランスポートブロックを合成することＳＢ９、をさらに含む。
【０１００】
これにより、１つよりも多くのＭＢＳＦＮにおいてブロードキャストされる同一のサービスを包含するグループ通信に参加するワイヤレスデバイスは、同時に２つの異なる通信リソース上でそのサービスを受信することができ、それによりＭＢＳＦＮ間のシームレスな移行が可能とされ、即ち、サービス連続性が改善される。このサービス連続性は、マルチキャストからユニキャストへワイヤレスデバイスを移管することを包含しない。
【０１０１】
また、ワイヤレスデバイスは、合成に起因する改善される受信条件の恩恵を受け得る。ネットワークレベルでは、これら改善された受信条件は、例えば、ワイヤレス通信システムにおいて使用される予約されるセルの数の低減を可能にし得る。ＭＢＭＳに関する１つ以上のサービスカバレッジエリアもまた合成に起因して拡張され得る。
【０１０２】
図７は、本開示の複数の観点に係るワイヤレスデバイスにおいて実行される方法を例示するフローチャートを示している。具体的には、ＭＢＳＦＮ通信のために構成されるワイヤレスデバイス２３１における方法が示されている。当該方法は、ワイヤレスデバイスにより、第１のＭＢＳＦＮ３１０及び第２のＭＢＳＦＮ３４０からそれぞれ第１及び第２の通信リソースｆ１、ｆ２を用いて第１及び第２のトランスポートブロックを受信することＳＣ１、を含む。それらトランスポートブロックは、サービスＡをトランスポートする。当該方法は、ワイヤレスデバイスにより、受信された少なくとも第１及び第２のトランスポートブロックを、合成前のトランスポートブロック品質と比較して改善されたトランスポートブロック品質を有する合成トランスポートブロックへ合成することＳＣ３、をも含む。
【０１０３】
複数の観点によれば、上記方法は、ワイヤレスデバイス２３１により、少なくとも第１のＭＢＳＦＮ３１０及び第２のＭＢＳＦＮ３４０に関する２つ以上のＭＢＳＦＮ構成を記憶することＳＣ０、をさらに含む。
【０１０４】
ワイヤレスデバイスにおいて実行される上記方法及び関連付けられる利点は、図２〜図４に関連して上で既に議論されている。
【０１０５】
図８は、本開示の複数の観点に係る無線基地局を概略的に示している。当該ＲＢＳは、第１のＭＢＳＦＮ２１０とは別個であって第１のＭＢＳＦＮ２１０に含まれない。当該ＲＢＳは、第１のＭＢＳＦＮにおいてサービスＡをブロードキャストするために使用される第１の通信リソースｆ１に関する情報を当該ＲＢＳによりブロードキャストする、ように構成されるブロードキャストモジュールＳＡＸ１、を備える。
【０１０６】
複数の観点によれば、ブロードキャストモジュールＳＡＸ１は、第１のＭＢＳＦＮ２１０のカバレッジエリアとは異なるカバレッジエリア２５１上で第１の通信リソースｆ１に関する情報をブロードキャストする、ようにさらに構成される。
【０１０７】
図９は、本開示の複数の観点に係るワイヤレス通信システムを概略的に示している。当該ワイヤレス通信システムは、第１のＭＢＳＦＮ２１０を含む。第１のＭＢＳＦＮは、１つ以上のさらなるＲＢＳ２２０を含む。ワイヤレス通信システム２００は、第１のＭＢＳＦＮ２１０に含まれない少なくとも１つのＲＢＳ２５０をも含む。当該ワイヤレス通信システムは、第１のＭＢＳＦＮに含まれる上記１つ以上のさらなるＲＢＳによって、第１の通信リソースｆ１を用いてトランスポートブロックをブロードキャストする、ように構成されるトランスポートブロックブロードキャストモジュールＳＢＸ１、を含む。それらトランスポートブロックは、サービスＡをトランスポートする。
【０１０８】
上記ワイヤレス通信システムは、第１のＭＢＳＦＮ２１０に含まれない少なくとも１つのＲＢＳ２５０により、第１のＭＢＳＦＮにおいてサービスＡをブロードキャストするために使用される第１の通信リソースｆ１に関する情報をブロードキャストする、ように構成される情報ブロードキャストモジュールＳＢＸ３、をも含む。
【０１０９】
複数の観点によれば、上記少なくとも１つのＲＢＳは、第１のＭＢＳＦＮ３１０とは少なくとも部分的に別個の第２のＭＢＳＦＮ３４０に関連付けられる。上記ワイヤレス通信システムは、この場合、第２のＭＢＳＦＮのためのトランスポートブロックブロードキャストモジュールＳＢＸ５、をさらに含む。このモジュールは、第１のＭＢＳＦＮに含まれない上記少なくとも１つのＲＢＳにより、サービスＡをトランスポートするトランスポートブロックを第２の通信リソースｆ２を用いてブロードキャストする、ように構成される。ワイヤレスデバイス２３１により、第１及び第２の通信リソースを用いてトランスポートされるトランスポート対象サービスＡを受信する、ように構成される受信モジュールＳＢＸ７と共に、当該ワイヤレスデバイスにより、合成前のトランスポートブロック品質と比較して改善されたトランスポートブロック品質を有する合成トランスポートブロックへ、受信される第１及び第２のトランスポートブロックを合成する、ように構成される合成モジュールＳＢＸ９、もまた含まれる。
【０１１０】
図１０は、本開示の複数の観点に係るワイヤレスデバイスを概略的に示している。当該ワイヤレスデバイスは、ＭＢＳＦＮ通信のために構成され、第１のＭＢＳＦＮ３１０及び第２のＭＢＳＦＮ３４０からそれぞれ第１及び第２の通信リソースｆ１、ｆ２を用いて第１及び第２のトランスポートブロックを受信する、ように構成される受信モジュールＳＣＸ１、を備える。それらトランスポートブロックは、サービスＡをトランスポートする。当該ワイヤレスデバイスは、受信された少なくとも第１及び第２のトランスポートブロックを、合成前のトランスポートブロック品質と比較して改善されたトランスポートブロック品質を有する合成トランスポートブロックへ合成する、ように構成される合成モジュールＳＣＸ３、をも備える。
【０１１１】
いくつかの観点によれば、上記ワイヤレスデバイスは、第１のＭＢＳＦＮ及び第２のＭＢＳＦＮに関する２つ以上のＭＢＳＦＮ構成を記憶する、ように構成される記憶モジュールＳＣＸ０、をも備える。
【０１１２】
ここで説明した方法の多様な観点は、コンピュータ読取可能な媒体内に具現化される、１つの観点においてコンピュータプログラムプロダクトにより実装されてもよい方法ステップ又は処理の一般的な文脈で説明されており、コンピュータ読取可能な媒体は、ネットワーク化された環境においてコンピュータにより実行される、プログラムコードなどのコンピュータ実行可能な命令を含む。コンピュータ読取可能な媒体は、限定ではないものの、ＲＯＭ（Read  Only  Memory）、ＲＡＭ（Random  Access  Memory）、ＣＤ（compact  discs）及びＤＶＤ（digital  versatile  discs）などを含む、取外し可能な及び取外し不能なストレージデバイスを含んでよい。概して、プログラムモジュールは、特定のタスクを実行し又は特定の抽象的なデータタイプを実装する、ルーチン、プログラム、オブジェクト、コンポーネント、データ構造などを含んでよい。コンピュータ読取可能な命令、関連付けられるデータ構造及びプログラムモジュールは、ここで開示される方法のステップを実行するためのプログラムコードの例を表す。そうした実行可能な命令の特定のシーケンス又は関連付けられるデータ構造は、そうしたステップ又は処理に記述される機能を実装するための対応する動作の例を表す。
【図１】
2018517378.tif 000003
【図２】
2018517378.tif 000004
【図３】
2018517378.tif 000005
【図４】
2018517378.tif 000006
【図５】
2018517378.tif 000007
【図６】
2018517378.tif 000008
【図７】
2018517378.tif 000009
【図８】
2018517378.tif 000010
【図９】
2018517378.tif 000011
【図１０】
2018517378.tif 000012
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
第２のＭＢＳＦＮ（Multicast-Broadcast  Single  Frequency  Network）（３４０）に含まれる無線基地局（ＲＢＳ）（２５０，３５０）であって、
前記ＲＢＳ（２５０，３５０）を含まない第１のＭＢＳＦＮ（２１０，３１０）においてサービス（Ａ）をブロードキャストするために使用される第１の通信リソース（ｆ１）に関する情報をブロードキャストする、
ように構成されるＲＢＳ（２５０，３５０）。
【請求項２】
前記第１の通信リソース（ｆ１）を用いて前記サービス（Ａ）をトランスポートするトランスポートブロックをブロードキャストしない、ようにさらに構成される、請求項１に記載のＲＢＳ（２５０）。
【請求項３】
通信リソースは、周波数帯域、時間スロット、ＬＴＥサブフレーム、又は周波数帯域と時間スロットとの組み合わせ、のうちのいずれかを含む、請求項１〜２のいずれかに記載のＲＢＳ（２５０，３５０）。
【請求項４】
前記第１の通信リソース（ｆ１）に関する前記情報は、前記第１のＭＢＳＦＮ（２１０）において前記サービス（Ａ）を含むブロードキャストを受信する目的で前記第１の通信リソース（ｆ１）を識別するための情報を含む、請求項１〜３のいずれかに記載のＲＢＳ（２５０，３５０）。
【請求項５】
前記第１の通信リソース（ｆ１）に関する前記情報は、サービスアナウンスメントを含み、前記サービスアナウンスメントは、前記第１のＭＢＳＦＮ（２１０）においてブロードキャストされるＭＢＭＳ（Multicast-Broadcast  Multimedia  Service）コンテンツに関する情報を含む、請求項１〜４のいずれかに記載のＲＢＳ（２５０，３５０）。
【請求項６】
前記ＲＢＳは、ＬＴＥ（Long  Term  Evolution）セルラー通信ネットワークに含まれるｅＮｏｄｅＢである、請求項１〜５のいずれかに記載のＲＢＳ（２５０，３５０）。
【請求項７】
前記第１の通信リソース（ｆ１）に関する前記情報は、前記第１のＭＢＳＦＮ（２１０）においてブロードキャストされる前記サービス（Ａ）に対応するＴＭＧＩ（Temporary  Mobile  Group  Identification）を含む、請求項６に記載のＲＢＳ（２５０，３５０）。
【請求項８】
前記第１の通信リソース（ｆ１）に関する前記情報は、修正されたＳＩＢ（System  Information  Block）２を含み、前記修正されたＳＩＢ２は、前記第１のＭＢＳＦＮ（２１０）においてＭＢＭＳ（Multicast-Broadcast  Multimedia  Service）のために予約されている１つ以上のＬＴＥ（Long  Term  Evolution）サブフレームに関する情報及び／又は当該サブフレームを識別する情報を含む、請求項６〜７のいずれかに記載のＲＢＳ（２５０，３５０）。
【請求項９】
前記第１の通信リソース（ｆ１）に関する前記情報は、修正されたＳＩＢ１３を含み、前記修正されたＳＩＢ１３は、前記第１のＭＢＳＦＮのＬＴＥ無線フレーム構造におけるＭＣＣＭ（MBMS  Control  Channel）の位置に関する情報及び／又は当該位置を識別する情報を含む、請求項６〜８のいずれかに記載のＲＢＳ（２５０，３５０）。
【請求項１０】
請求項１〜９のいずれかに記載の少なくとも１つのＲＢＳ（２５０，３５０）、及び１つ以上のさらなるＲＢＳ（２２０，３２０）をも含むワイヤレス通信システム（２００，３００）であって、前記第１のＭＢＳＦＮ（２１０，３５０）が前記１つ以上のさらなるＲＢＳ（２２０，３２０）を含み、前記１つ以上のさらなるＲＢＳは、前記第１の通信リソース（ｆ１）を用いてトランスポートブロックをブロードキャストする、ように構成され、当該トランスポートブロックは、前記ワイヤレス通信システム（２００，３００）内の１つ以上のワイヤレスデバイス（２３１，２３２，２３３）へ前記サービス（Ａ）をトランスポートする、ワイヤレス通信システム（２００，３００）。
【請求項１１】
前記第１のＭＢＳＦＮ（３１０）とは少なくとも部分的に別個の前記第２のＭＢＳＦＮ（３４０）をさらに含み、前記少なくとも１つのＲＢＳ（３５０）は、前記第２のＭＢＳＦＮ（３４０）に関連付けられ、第２の通信リソース（ｆ２）を用いてトランスポートブロックをブロードキャストする、ように構成され、前記第２の通信リソース（ｆ２）を用いる前記トランスポートブロックは、前記ワイヤレス通信システム（３００）内の１つ以上のワイヤレスデバイス（２３０，２３１）へ前記サービス（Ａ）をトランスポートする、請求項１０に記載のワイヤレス通信システム（３００）。
【請求項１２】
前記第１のＭＢＳＦＮ（３１０）に含まれる前記１つ以上のさらなるＲＢＳ（３２０）のうちの少なくともいくつかは、前記第２のＭＢＳＦＮ（３４０）において前記サービス（Ａ）をブロードキャストするために使用される前記第２の通信リソース（ｆ２）に関する情報をブロードキャストする、ように構成される、請求項１０又は請求項１１に記載のワイヤレス通信システム（３００）。
【請求項１３】
前記第１の通信リソース及び前記第２の通信リソースを用いてブロードキャストされ及び前記サービス（Ａ）をトランスポートする前記トランスポートブロックは、合成前のトランスポートブロック品質と比較して改善されたトランスポートブロック品質を有する合成トランスポートブロックへ、ワイヤレスデバイス（２３１）による受信後に合成可能である、請求項１０〜１２のいずれかに記載のワイヤレス通信システム（３００）。
【請求項１４】
前記ワイヤレス通信システム（２００，３００）においてブロードキャストされるどのトランスポートブロックが、同じ前記サービス（Ａ）をトランスポートし及び合成前のトランスポートブロック品質と比較して改善されたトランスポートブロック品質を有する合成トランスポートブロックへワイヤレスデバイス（２３１）による受信後に合成可能であるか、に関する情報を前記ワイヤレス通信システム内のワイヤレスデバイス（２３０，２３１，２３２，２３３）へ提供する、ように構成される少なくとも１つのサーバデバイス（２９０，３９０）、をさらに含む、請求項１０〜１３のいずれかに記載のワイヤレス通信システム（２００，３００）。
【請求項１５】
前記サーバデバイス（２９０，３９０）は、３ＧＰＰ  ＴＳ２２．４６８  Ｖ１３．０．０（２０１４年１２月）に従ったグループ通信サービスアプリケーションサーバ（ＧＣＳ  ＡＳ）を含む、請求項１４に記載のワイヤレス通信システム（２００，３００）。
【請求項１６】
ＭＢＳＦＮ（Multicast-Broadcast  Single  Frequency  Network）通信のために構成されるワイヤレスデバイス（２３１）であって、第２のＭＢＳＦＮ（３４０）に含まれるＲＢＳ（２５０）から、第１のＭＢＳＦＮにおいてサービス（Ａ）をブロードキャストするために使用される第１の通信リソース（ｆ１）に関する情報を受信する、ように構成されるワイヤレスデバイス。
【請求項１７】
前記ワイヤレスデバイスは、第１及び第２の通信リソース（ｆ１，ｆ２）をそれぞれ用いて第１及び第２のトランスポートブロックを受信する、ようにさらに構成され、前記第１及び第２の通信リソースは、サービス（Ａ）をトランスポートし、前記ワイヤレスデバイス（２３１）は、受信された前記第１及び第２のトランスポートブロックを、合成前のトランスポートブロック品質と比較して改善されたトランスポートブロック品質を有する合成トランスポートブロックへ合成する、ように構成される、請求項１６に記載のワイヤレスデバイス（２３１）。
【請求項１８】
前記改善されたトランスポートブロック品質は、改善された信号対雑音比、改善された信号対干渉及び雑音比、改善されたトランスポートブロックエラー修復性、及び改善されたトランスポートブロックエラー確率、のうちのいずれか１つである、請求項１６又は請求項１７に記載のワイヤレスデバイス（２３１）。
【請求項１９】
ワイヤレス通信システムのサーバデバイス（２９０，３９０）からの受信後に合成可能なブロードキャストされるトランスポートブロックに関する情報を受信する、ようにさらに構成される、請求項１６〜１８のいずれか１項に記載のワイヤレスデバイス（２３１）。
【請求項２０】
少なくとも前記第１のＭＢＳＦＮ（３１０）及び前記第２のＭＢＳＦＮ（３４０）に関する２つ以上のＭＢＳＦＮ構成を同時に記憶する、ように構成される、請求項１６〜１９のいずれか１項に記載のワイヤレスデバイス（２３１）。
【請求項２１】
第２のＭＢＳＦＮ（３４０）内の無線基地局（ＲＢＳ）（２５０，３５０）により第１の通信リソース（ｆ１）を用いてブロードキャストされ及び１つ以上のさらなるＲＢＳ（２２０，３２０）により第２の通信リソース（ｆ２）を用いてブロードキャストされるどのトランスポートブロックが、合成前のトランスポートブロック品質と比較して改善されたトランスポートブロック品質を有する合成トランスポートブロックへワイヤレスデバイス（２３１）による受信後に合成可能であるか、に関する情報をワイヤレス通信システム（２００，３００）内のワイヤレスデバイス（２３０，２３１，２３２，２３３）へ提供する、ように構成される、ワイヤレス通信システムのサーバデバイス（２９０，３９０）。
【請求項２２】
３ＧＰＰ  ＴＳ２２．４６８  Ｖ１３．０．０（２０１４年１２月）に従ったグループ通信サービスアプリケーションサーバ（ＧＣＳ  ＡＳ）をさらに含む、請求項２１に記載のサーバデバイス（２９０，３９０）。
【請求項２３】
前記サーバデバイスは、前記ワイヤレス通信システム（２００，３００）のＲＢＳ内に含まれる、請求項２１又は請求項２２に記載のサーバデバイス（２９０，３９０）。
【請求項２４】
第１のＭＢＳＦＮ（Multicast-Broadcast  Single  Frequency  Network）（２１０，３１０）とは別個の第２のＭＢＳＦＮ（３４０）に含まれる無線基地局（ＲＢＳ）（２５０，３５０）において実行される方法であって、前記方法は、
前記第１のＭＢＳＦＮにおいてサービス（Ａ）をブロードキャストするために使用される第１の通信リソース（ｆ１）に関する情報を前記ＲＢＳによりブロードキャストすること（ＳＡ１）、
を含む方法。
【請求項２５】
無線基地局（ＲＢＳ）において実行された場合に、前記ＲＢＳに請求項２５に記載の方法を実行させるコンピュータプログラムコード、を含むコンピュータプログラム。
【請求項２６】
第１のＭＢＳＦＮ（Multicast-Broadcast  Single  Frequency  Network）（２１０，３１０）を含むワイヤレス通信システム（２００，３００）において実行される方法であって、前記第１のＭＢＳＦＮは、少なくとも１つのさらなる無線基地局（ＲＢＳ）（２２０，３２０）を含み、前記ワイヤレス通信システム（２００，３００）は、第２のＭＢＳＦＮ（３４０）に含まれる少なくとも１つのＲＢＳ（２５０，３５０）をも含み、前記方法は、
前記第１のＭＢＳＦＮに含まれる前記少なくとも１つのさらなるＲＢＳにより、第１の通信リソース（ｆ１）を用いてトランスポートブロックをブロードキャストすること（ＳＢ１）と、前記トランスポートブロックは、サービス（Ａ）をトランスポートすることと、
前記第２のＭＢＳＦＮ（３４０）に含まれる前記少なくとも１つのＲＢＳ（２５０，３５０）により、前記第１のＭＢＳＦＮにおいて前記サービス（Ａ）をブロードキャストするために使用される前記第１の通信リソース（ｆ１）に関する情報をブロードキャストすること（ＳＢ３）と、
を含む方法。
【請求項２７】
前記少なくとも１つのＲＢＳ（３５０）は、前記第１のＭＢＳＦＮ（３１０）とは別個の前記第２のＭＢＳＦＮ（３４０）に関連付けられ、前記方法は、
前記第１のＭＢＳＦＮに含まれない前記少なくとも１つのＲＢＳ（３５０）により、第２の通信リソース（ｆ２）を用いてトランスポートブロックをブロードキャストすること（ＳＢ５）と、前記トランスポートブロックは、前記サービス（Ａ）をトランスポートすることと、
ワイヤレスデバイス（２３１）により、第１及び第２の通信リソースを用いてトランスポートされる、トランスポート対象の前記サービス（Ａ）を受信すること（ＳＢ７）と共に、
前記ワイヤレスデバイスにより、合成前のトランスポートブロック品質と比較して改善されたトランスポートブロック品質を有する合成トランスポートブロックへ、受信される第１及び第２のトランスポートブロックを合成すること（ＳＢ９）、
をさらに含む、請求項２６に記載の方法。
【請求項２８】
ワイヤレス通信システムにおいて実行された場合に、前記ワイヤレス通信システムに請求項２６又は請求項２７に記載の方法を実行させるコンピュータプログラムコード、を含むコンピュータプログラム。
【請求項２９】
ＭＢＳＦＮ（Multicast-Broadcast  Single  Frequency  Network）通信のために構成されるワイヤレスデバイス（２３１）における方法であって、
前記ワイヤレスデバイスにより、第１のＭＢＳＦＮ（３１０）及び第２のＭＢＳＦＮ（３４０）からそれぞれ第１及び第２の通信リソース（ｆ１，ｆ２）を用いて第１及び第２のトランスポートブロックを受信すること（ＳＣ１）と、前記トランスポートブロックは、サービス（Ａ）をトランスポートすることと、
前記ワイヤレスデバイスにより、受信された少なくとも前記第１及び第２のトランスポートブロックを、合成前のトランスポートブロック品質と比較して改善されたトランスポートブロック品質を有する合成トランスポートブロックへ合成すること（ＳＣ３）と、
を含む方法。
【請求項３０】
前記ワイヤレスデバイス（２３１）により、少なくとも前記第１のＭＢＳＦＮ（３１０）及び前記第２のＭＢＳＦＮ（３４０）に関する２つ以上のＭＢＳＦＮ構成を記憶すること（ＳＣ０）、
をさらに含む、請求項２９に記載の方法。
【請求項３１】
ワイヤレスデバイスにおいて実行された場合に、前記ワイヤレスデバイスに請求項２９〜３０のいずれかに記載の方法を実行させるコンピュータプログラムコード、を含むコンピュータプログラム。
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
第２のＭＢＳＦＮ（Multicast-Broadcast  Single  Frequency  Network）（３４０）に含まれる無線基地局（ＲＢＳ）（３５０）であって、
前記ＲＢＳ（３５０）を含まない第１のＭＢＳＦＮ（３１０）においてサービス（Ａ）をブロードキャストするために使用される第１の通信リソース（ｆ１）に関する情報をブロードキャストする、
ように構成されるＲＢＳ（３５０）。
【請求項２】
前記第１の通信リソース（ｆ１）を用いて前記サービス（Ａ）をトランスポートするトランスポートブロックをブロードキャストしない、ようにさらに構成される、請求項１に記載のＲＢＳ（３５０）。
【請求項３】
通信リソースは、周波数帯域、時間スロット、ＬＴＥサブフレーム、又は周波数帯域と時間スロットとの組み合わせ、のうちのいずれかを含む、請求項１〜２のいずれかに記載のＲＢＳ（３５０）。
【請求項４】
前記第１の通信リソース（ｆ１）に関する前記情報は、前記第１のＭＢＳＦＮ（３１０）において前記サービス（Ａ）を含むブロードキャストを受信する目的で前記第１の通信リソース（ｆ１）を識別するための情報を含む、請求項１〜３のいずれかに記載のＲＢＳ（３５０）。
【請求項５】
前記第１の通信リソース（ｆ１）に関する前記情報は、サービスアナウンスメントを含み、前記サービスアナウンスメントは、前記第１のＭＢＳＦＮ（３１０）においてブロードキャストされるＭＢＭＳ（Multicast-Broadcast  Multimedia  Service）コンテンツに関する情報を含む、請求項１〜４のいずれかに記載のＲＢＳ（３５０）。
【請求項６】
前記ＲＢＳは、ＬＴＥ（Long  Term  Evolution）セルラー通信ネットワークに含まれるｅＮｏｄｅＢである、請求項１〜５のいずれかに記載のＲＢＳ（３５０）。
【請求項７】
前記第１の通信リソース（ｆ１）に関する前記情報は、前記第１のＭＢＳＦＮ（３１０）においてブロードキャストされる前記サービス（Ａ）に対応するＴＭＧＩ（Temporary  Mobile  Group  Identification）を含む、請求項６に記載のＲＢＳ（３５０）。
【請求項８】
前記第１の通信リソース（ｆ１）に関する前記情報は、修正されたＳＩＢ（System  Information  Block）２を含み、前記修正されたＳＩＢ２は、前記第１のＭＢＳＦＮ（３１０）においてＭＢＭＳ（Multicast-Broadcast  Multimedia  Service）のために予約されている１つ以上のＬＴＥ（Long  Term  Evolution）サブフレームに関する情報及び／又は当該サブフレームを識別する情報を含む、請求項６〜７のいずれかに記載のＲＢＳ（３５０）。
【請求項９】
前記第１の通信リソース（ｆ１）に関する前記情報は、修正されたＳＩＢ１３を含み、前記修正されたＳＩＢ１３は、前記第１のＭＢＳＦＮのＬＴＥ無線フレーム構造におけるＭＣＣＭ（MBMS  Control  Channel）の位置に関する情報及び／又は当該位置を識別する情報を含む、請求項６〜８のいずれかに記載のＲＢＳ（３５０）。
【請求項１０】
請求項１〜９のいずれかに記載の少なくとも１つのＲＢＳ（３５０）、及び１つ以上のさらなるＲＢＳ（２２０，３２０）をも含むワイヤレス通信システム（３００）であって、前記第１のＭＢＳＦＮ（３５０）が前記１つ以上のさらなるＲＢＳ（３２０）を含み、前記１つ以上のさらなるＲＢＳは、前記第１の通信リソース（ｆ１）を用いてトランスポートブロックをブロードキャストする、ように構成され、当該トランスポートブロックは、前記ワイヤレス通信システム（３００）内の１つ以上のワイヤレスデバイス（２３１，２３２，２３３）へ前記サービス（Ａ）をトランスポートする、ワイヤレス通信システム（３００）。
【請求項１１】
前記第１のＭＢＳＦＮ（３１０）とは少なくとも部分的に別個の前記第２のＭＢＳＦＮ（３４０）をさらに含み、前記少なくとも１つのＲＢＳ（３５０）は、前記第２のＭＢＳＦＮ（３４０）に関連付けられ、第２の通信リソース（ｆ２）を用いてトランスポートブロックをブロードキャストする、ように構成され、前記第２の通信リソース（ｆ２）を用いる前記トランスポートブロックは、前記ワイヤレス通信システム（３００）内の１つ以上のワイヤレスデバイス（２３０，２３１）へ前記サービス（Ａ）をトランスポートする、請求項１０に記載のワイヤレス通信システム（３００）。
【請求項１２】
前記第１のＭＢＳＦＮ（３１０）に含まれる前記１つ以上のさらなるＲＢＳ（３２０）のうちの少なくともいくつかは、前記第２のＭＢＳＦＮ（３４０）において前記サービス（Ａ）をブロードキャストするために使用される前記第２の通信リソース（ｆ２）に関する情報をブロードキャストする、ように構成される、請求項１０又は請求項１１に記載のワイヤレス通信システム（３００）。
【請求項１３】
前記第１の通信リソース及び前記第２の通信リソースを用いてブロードキャストされ及び前記サービス（Ａ）をトランスポートする前記トランスポートブロックは、合成前のトランスポートブロック品質と比較して改善されたトランスポートブロック品質を有する合成トランスポートブロックへ、ワイヤレスデバイス（２３１）による受信後に合成可能である、請求項１０〜１２のいずれかに記載のワイヤレス通信システム（３００）。
【請求項１４】
前記ワイヤレス通信システム（２００，３００）においてブロードキャストされるどのトランスポートブロックが、同じ前記サービス（Ａ）をトランスポートし及び合成前のトランスポートブロック品質と比較して改善されたトランスポートブロック品質を有する合成トランスポートブロックへワイヤレスデバイス（２３１）による受信後に合成可能であるか、に関する情報を前記ワイヤレス通信システム内のワイヤレスデバイス（２３０，２３１，２３２，２３３）へ提供する、ように構成される少なくとも１つのサーバデバイス（２９０，３９０）、をさらに含む、請求項１０〜１３のいずれかに記載のワイヤレス通信システム（２００，３００）。
【請求項１５】
前記サーバデバイス（２９０，３９０）は、３ＧＰＰ  ＴＳ２２．４６８  Ｖ１３．０．０（２０１４年１２月）に従ったグループ通信サービスアプリケーションサーバ（ＧＣＳ  ＡＳ）を含む、請求項１４に記載のワイヤレス通信システム（２００，３００）。
【請求項１６】
ＭＢＳＦＮ（Multicast-Broadcast  Single  Frequency  Network）通信のために構成されるワイヤレスデバイス（２３１）であって、第２のＭＢＳＦＮ（３４０）に含まれるＲＢＳ（３５０）から、第１のＭＢＳＦＮにおいてサービス（Ａ）をブロードキャストするために使用される第１の通信リソース（ｆ１）に関する情報を受信する、ように構成されるワイヤレスデバイス。
【請求項１７】
前記ワイヤレスデバイスは、第１及び第２の通信リソース（ｆ１，ｆ２）をそれぞれ用いて第１及び第２のトランスポートブロックを受信する、ようにさらに構成され、前記第１及び第２の通信リソースは、サービス（Ａ）をトランスポートし、前記ワイヤレスデバイス（２３１）は、受信された前記第１及び第２のトランスポートブロックを、合成前のトランスポートブロック品質と比較して改善されたトランスポートブロック品質を有する合成トランスポートブロックへ合成する、ように構成される、請求項１６に記載のワイヤレスデバイス（２３１）。
【請求項１８】
前記改善されたトランスポートブロック品質は、改善された信号対雑音比、改善された信号対干渉及び雑音比、改善されたトランスポートブロックエラー修復性、及び改善されたトランスポートブロックエラー確率、のうちのいずれか１つである、請求項１６又は請求項１７に記載のワイヤレスデバイス（２３１）。
【請求項１９】
ワイヤレス通信システムのサーバデバイス（２９０，３９０）からの受信後に合成可能なブロードキャストされるトランスポートブロックに関する情報を受信する、ようにさらに構成される、請求項１６〜１８のいずれか１項に記載のワイヤレスデバイス（２３１）。
【請求項２０】
少なくとも前記第１のＭＢＳＦＮ（３１０）及び前記第２のＭＢＳＦＮ（３４０）に関する２つ以上のＭＢＳＦＮ構成を同時に記憶する、ように構成される、請求項１６〜１９のいずれか１項に記載のワイヤレスデバイス（２３１）。
【請求項２１】
第２のＭＢＳＦＮ（３４０）内の無線基地局（ＲＢＳ）（３５０）により第１の通信リソース（ｆ１）を用いてブロードキャストされ及び１つ以上のさらなるＲＢＳ（２２０，３２０）により第２の通信リソース（ｆ２）を用いてブロードキャストされるどのトランスポートブロックが、合成前のトランスポートブロック品質と比較して改善されたトランスポートブロック品質を有する合成トランスポートブロックへワイヤレスデバイス（２３１）による受信後に合成可能であるか、に関する情報をワイヤレス通信システム（２００，３００）内のワイヤレスデバイス（２３０，２３１，２３２，２３３）へ提供する、ように構成される、ワイヤレス通信システムのサーバデバイス（２９０，３９０）。
【請求項２２】
３ＧＰＰ  ＴＳ２２．４６８  Ｖ１３．０．０（２０１４年１２月）に従ったグループ通信サービスアプリケーションサーバ（ＧＣＳ  ＡＳ）をさらに含む、請求項２１に記載のサーバデバイス（２９０，３９０）。
【請求項２３】
前記サーバデバイスは、前記ワイヤレス通信システム（２００，３００）のＲＢＳ内に含まれる、請求項２１又は請求項２２に記載のサーバデバイス（２９０，３９０）。
【請求項２４】
第１のＭＢＳＦＮ（Multicast-Broadcast  Single  Frequency  Network）（３１０）とは別個の第２のＭＢＳＦＮ（３４０）に含まれる無線基地局（ＲＢＳ）（３５０）において実行される方法であって、前記方法は、
前記第１のＭＢＳＦＮにおいてサービス（Ａ）をブロードキャストするために使用される第１の通信リソース（ｆ１）に関する情報を前記ＲＢＳによりブロードキャストすること（ＳＡ１）、
を含む方法。
【請求項２５】
無線基地局（ＲＢＳ）において実行された場合に、前記ＲＢＳに請求項２４に記載の方法を実行させるコンピュータプログラムコード、を含むコンピュータプログラム。
【請求項２６】
第１のＭＢＳＦＮ（Multicast-Broadcast  Single  Frequency  Network）（３１０）を含むワイヤレス通信システム（３００）において実行される方法であって、前記第１のＭＢＳＦＮは、少なくとも１つのさらなる無線基地局（ＲＢＳ）（３２０）を含み、前記ワイヤレス通信システム（２００，３００）は、第２のＭＢＳＦＮ（３４０）に含まれる少なくとも１つのＲＢＳ（３５０）をも含み、前記方法は、
前記第１のＭＢＳＦＮに含まれる前記少なくとも１つのさらなるＲＢＳにより、第１の通信リソース（ｆ１）を用いてトランスポートブロックをブロードキャストすること（ＳＢ１）と、前記トランスポートブロックは、サービス（Ａ）をトランスポートすることと、
前記第２のＭＢＳＦＮ（３４０）に含まれる前記少なくとも１つのＲＢＳ（３５０）により、前記第１のＭＢＳＦＮにおいて前記サービス（Ａ）をブロードキャストするために使用される前記第１の通信リソース（ｆ１）に関する情報をブロードキャストすること（ＳＢ３）と、
を含む方法。
【請求項２７】
前記少なくとも１つのＲＢＳ（３５０）は、前記第１のＭＢＳＦＮ（３１０）とは別個の前記第２のＭＢＳＦＮ（３４０）に関連付けられ、前記方法は、
前記第１のＭＢＳＦＮに含まれない前記少なくとも１つのＲＢＳ（３５０）により、第２の通信リソース（ｆ２）を用いてトランスポートブロックをブロードキャストすること（ＳＢ５）と、前記トランスポートブロックは、前記サービス（Ａ）をトランスポートすることと、
ワイヤレスデバイス（２３１）により、第１及び第２の通信リソースを用いてトランスポートされる、トランスポート対象の前記サービス（Ａ）を受信すること（ＳＢ７）と共に、
前記ワイヤレスデバイスにより、合成前のトランスポートブロック品質と比較して改善されたトランスポートブロック品質を有する合成トランスポートブロックへ、受信される第１及び第２のトランスポートブロックを合成すること（ＳＢ９）、
をさらに含む、請求項２６に記載の方法。
【請求項２８】
ワイヤレス通信システムにおいて実行された場合に、前記ワイヤレス通信システムに請求項２６又は請求項２７に記載の方法を実行させるコンピュータプログラムコード、を含むコンピュータプログラム。
【請求項２９】
ＭＢＳＦＮ（Multicast-Broadcast  Single  Frequency  Network）通信のために構成されるワイヤレスデバイス（２３１）における方法であって、
前記ワイヤレスデバイスにより、第１のＭＢＳＦＮ（３１０）及び第２のＭＢＳＦＮ（３４０）からそれぞれ第１及び第２の通信リソース（ｆ１，ｆ２）を用いて第１及び第２のトランスポートブロックを受信すること（ＳＣ１）と、前記トランスポートブロックは、サービス（Ａ）をトランスポートすることと、
前記ワイヤレスデバイスにより、受信された少なくとも前記第１及び第２のトランスポートブロックを、合成前のトランスポートブロック品質と比較して改善されたトランスポートブロック品質を有する合成トランスポートブロックへ合成すること（ＳＣ３）と、
を含む方法。
【請求項３０】
前記ワイヤレスデバイス（２３１）により、少なくとも前記第１のＭＢＳＦＮ（３１０）及び前記第２のＭＢＳＦＮ（３４０）に関する２つ以上のＭＢＳＦＮ構成を記憶すること（ＳＣ０）、
をさらに含む、請求項２９に記載の方法。
【請求項３１】
ワイヤレスデバイスにおいて実行された場合に、前記ワイヤレスデバイスに請求項２９〜３０のいずれかに記載の方法を実行させるコンピュータプログラムコード、を含むコンピュータプログラム。
【国際調査報告】
2018517378.tif 000013
2018517378.tif 000014
2018517378.tif 000015
2018517378.tif 000016
2018517378.tif 000017